(57)【要約】  本願は通信方法およびデバイスを提供する。方法は、端末デバイスが基準信号受信電力に基づいて少なくとも２つのカバレッジレベルから現在のカバレッジレベルを決定する段階であって、少なくとも２つのカバレッジレベルの各々は電力上昇ステップに対応する、段階と、端末デバイスが、現在のカバレッジレベルに対応する現在の電力上昇ステップに基づいて、電力上昇方式でネットワークデバイスにランダムアクセスプリアンブルを送信する段階とを含む。故に、本願の実施形態では、電力上昇方式で決定される電力を使用することにより現在のカバレッジレベルで端末デバイスがプリアンブルを送信することから、別の端末デバイスへの影響を減らすことができる。
2020524948.tif 000002
【特許請求の範囲】
【請求項１】
通信方法であって、
端末デバイスが少なくとも２つのカバレッジレベルから現在のカバレッジレベルを決定する段階であって、前記少なくとも２つのカバレッジレベルの各々は電力上昇ステップに対応する、段階と、
前記端末デバイスが、前記現在のカバレッジレベルに対応する現在の電力上昇ステップに基づいて、電力上昇方式でネットワークデバイスにランダムアクセスプリアンブルを送信する段階と
を備える方法。
【請求項２】
前記端末デバイスが、前記現在のカバレッジレベルに対応する現在の電力上昇ステップに基づいて、電力上昇方式でネットワークデバイスにランダムアクセスプリアンブルを送信する前記段階は、
前回前記プリアンブルの送信に失敗したとき、前記端末デバイスが前記現在の電力上昇ステップにより前記プリアンブルの伝送電力を増やして新しい電力を取得する段階と、前記新しい電力を使用することにより前記プリアンブルを再送信する段階と
を有する、
請求項１に記載の方法。
【請求項３】
前記方法は、
前記現在のカバレッジレベルでの前記端末デバイスによる前記プリアンブルの送信回数が第１閾値より大きいとき、前記端末デバイスが前記現在のカバレッジレベルの次のカバレッジレベルで前記ネットワークデバイスに前記プリアンブルを送信する段階
を更に備え、
前記第１閾値は、前記現在のカバレッジレベルでのプリアンブルの最大伝送回数より小さい、
請求項１または２に記載の方法。
【請求項４】
前記端末デバイスが前記現在のカバレッジレベルの次のカバレッジレベルで前記ネットワークデバイスに前記プリアンブルを送信する前記段階は、
前記端末デバイスが、前記次のカバレッジレベルに対応する繰り返し回数と、前記現在のカバレッジレベルに対応する前記現在の電力上昇ステップとを使用することにより、電力上昇方式で前記プリアンブルを送信する段階
を有する、請求項３に記載の方法。
【請求項５】
端末デバイスが少なくとも２つのカバレッジレベルから現在のカバレッジレベルを決定する前記段階は、
前記端末デバイスが、基準信号受信性能に基づいて、前記少なくとも２つのカバレッジレベルから前記現在のカバレッジレベルを決定する段階
を有する、
請求項１から４の何れか一項に記載の方法。
【請求項６】
前記端末デバイスが、基準信号受信性能に基づいて、前記少なくとも２つのカバレッジレベルから前記現在のカバレッジレベルを決定する前記段階は、
前記端末デバイスが、基準信号受信電力および前記基準信号受信性能に基づいて、前記少なくとも２つのカバレッジレベルから前記現在のカバレッジレベルを決定する段階
を含む、
請求項５に記載の方法。
【請求項７】
前記端末デバイスが、基準信号受信電力および前記基準信号受信性能に基づいて、前記少なくとも２つのカバレッジレベルから前記現在のカバレッジレベルを決定する前記段階は、
前記端末デバイスが前記基準信号受信電力に基づいて初期のカバレッジレベルを決定する段階と、
前記初期のカバレッジレベルが前記基準信号受信性能と一致しないとき、前記端末デバイスが、前記基準信号受信性能に対応するカバレッジレベルを前記現在のカバレッジレベルとして決定する段階と
を含む、請求項６に記載の方法。
【請求項８】
前記端末デバイスが、前記ネットワークデバイスにより送信された指示情報を受信する段階であって、前記指示情報は、前記端末デバイスによるアップリンク情報の送信の繰り返し回数を示すために使用される、段階、および、
前記繰り返し回数が第２閾値より大きいと前記端末デバイスが判定したとき、前記端末デバイスが、最大伝送電力を使用することにより前記アップリンク情報を送信する段階、または、
前記繰り返し回数が前記第２閾値より小さいか等しいと前記端末デバイスが判定したとき、前記端末デバイスが、第１電力を使用することにより前記アップリンク情報を送信する段階であって、前記第１電力は、パス損失、パス損失補償係数、または伝送帯域幅のうちの少なくとも１つに基づいて、前記端末デバイスにより決定される、段階
を更に備える、請求項１から７の何れか一項に記載の方法。
【請求項９】
前記指示情報はアップリンクグラントＵＬ  ｇｒａｎｔに保持され、かつ、前記アップリンク情報はアップリンクデータである、または、
前記指示情報はランダムアクセス応答ＲＡＲに保持され、かつ、前記アップリンク情報はメッセージ３である、
請求項８に記載の方法。
【請求項１０】
前記第２閾値は予め設定される、前記第２閾値は前記ＲＡＲにより示される、または、前記第２閾値は、システムメッセージを使用することにより構成される、
請求項８または９に記載の方法。
【請求項１１】
前記プリアンブルの伝送電力は、前記プリアンブルのターゲット受信電力と、前記端末デバイスと前記ネットワークデバイスとの間のパス損失とに基づいて、前記端末デバイスにより決定され、前記プリアンブルの前記ターゲット受信電力は、前記現在の電力上昇ステップと、前記端末デバイスによる前記プリアンブルの現在の送信回数とに関連する、
請求項１から１０の何れか一項に記載の方法。
【請求項１２】
前記プリアンブルの前記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは前記プリアンブルの前記伝送電力を表し、ＰＣＭＡＸは前記端末デバイスの前記最大伝送電力を表し、ＰＴＡＲＧＥＴは前記プリアンブルの前記ターゲット受信電力を表し、ＰＬは前記パス損失を表し、
ＰＴＡＲＧＥＴ＝ＰＰ＋（Ｍ−１）ＰＳであり、
ＰＰは前記プリアンブルの初期のターゲット受信電力を表し、Ｍは前記現在の送信回数を表し、ＰＳは前記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、前記プリアンブルの送信の繰り返し回数である、
式に従って、前記端末デバイスにより決定される、請求項１１に記載の方法。
【請求項１３】
ダウンリンクチャネルの品質に対応するカバレッジレベルが前記現在のカバレッジレベルと一致しないことを前記端末デバイスが検出したとき、前記端末デバイスが、前記ダウンリンクチャネルの品質に対応する前記カバレッジレベルでランダムアクセス手順を再開する段階
を更に備える、請求項１から１２の何れか一項に記載の方法。
【請求項１４】
前記端末デバイスが前記ネットワークデバイスにダウンリンクチャネルの品質指示情報を送信する段階であって、前記ダウンリンクチャネルの品質指示情報は、前記端末デバイスにより送信されるメッセージ３に保持され、前記ダウンリンクチャネルの品質指示情報は、ダウンリンクチャネルの品質を示すために使用される、段階
を更に備える、請求項１から１３の何れか一項に記載の方法。
【請求項１５】
前記端末デバイスが前記ネットワークデバイスにダウンリンクチャネルの品質指示情報を送信する前記段階は、
前記端末デバイスが構成情報の指示に基づいて前記ネットワークデバイスに前記ダウンリンクチャネルの品質指示情報を送信する段階であって、前記構成情報は、前記ネットワークデバイスにより送信されるＲＡＲに保持される、または、前記構成情報はシステムメッセージに保持される、段階
を有する、
請求項１４に記載の方法。
【請求項１６】
前記ダウンリンクチャネルの品質指示情報は、基準信号受信品質ＲＳＲＱ、または、前記端末デバイスによるＲＡＲ復調中の狭帯域物理ダウンリンク制御チャネルＮＰＤＣＣＨの繰り返し回数を含む、
請求項１４または１５に記載の方法。
【請求項１７】
通信方法であって、
端末デバイスがネットワークデバイスにランダムアクセスプリアンブルを送信する段階と、
前記端末デバイスが、前記ネットワークデバイスにより送信されたランダムアクセス応答ＲＡＲを受信する段階であって、前記ＲＡＲは第１リソースを示す、段階と、
前記端末デバイスが前記ネットワークデバイスにダウンリンクチャネルの品質指示情報を送信する段階であって、前記ダウンリンクチャネルの品質指示情報は、前記第１リソースを使用することによって前記端末デバイスにより送信されるメッセージ３に保持され、前記ダウンリンクチャネルの品質指示情報は、ダウンリンクチャネルの品質を示すために使用される、段階と
を備える方法。
【請求項１８】
前記端末デバイスが前記ネットワークデバイスにダウンリンクチャネルの品質指示情報を送信する前記段階は、
前記端末デバイスが構成情報に基づいて前記ネットワークデバイスに前記ダウンリンクチャネルの品質指示情報を送信する段階であって、前記構成情報は、前記ネットワークデバイスにより送信される前記ＲＡＲに保持される、または、前記構成情報はシステムメッセージに保持される、段階
を有する、
請求項１７に記載の方法。
【請求項１９】
前記ダウンリンクチャネルの品質指示情報は、基準信号受信品質ＲＳＲＱ、または、前記端末デバイスによるＲＡＲ復調中の狭帯域物理ダウンリンク制御チャネルＮＰＤＣＣＨの繰り返し回数を含む、
請求項１７または１８に記載の方法。
【請求項２０】
通信方法であって、
端末デバイスが基準信号受信性能に基づいて現在のカバレッジレベルを決定する段階と、
前記端末デバイスが前記現在のカバレッジレベルでランダムアクセスを実行する段階と
を備える方法。
【請求項２１】
端末デバイスが基準信号受信性能に基づいて現在のカバレッジレベルを決定する前記段階は、
前記端末デバイスが前記基準信号受信性能および基準信号受信電力に基づいて前記現在のカバレッジレベルを決定する段階
を有する、
請求項２０に記載の方法。
【請求項２２】
前記端末デバイスが前記基準信号受信性能および基準信号受信電力に基づいて前記現在のカバレッジレベルを決定する前記段階は、
前記端末デバイスが前記基準信号受信電力に基づいて初期のカバレッジレベルを決定する段階と、
前記初期のカバレッジレベルが前記基準信号受信性能と一致しないとき、前記端末デバイスが、前記基準信号受信性能に対応するカバレッジレベルを前記現在のカバレッジレベルとして決定する段階と
を含む、請求項２１に記載の方法。
【請求項２３】
前記端末デバイスが前記現在のカバレッジレベルでランダムアクセスを実行する前記段階は、
前記端末デバイスがネットワークデバイスにランダムアクセスプリアンブルを送信する段階であって、前記プリアンブルの伝送電力は、前記プリアンブルのターゲット受信電力と、前記端末デバイスと前記ネットワークデバイスとの間のパス損失とに基づいて、前記端末デバイスにより決定され、前記プリアンブルの前記ターゲット受信電力は、現在の電力上昇ステップと、前記端末デバイスによる前記プリアンブルの現在の送信回数とに関連する、段階
を有する、請求項２０から２２の何れか一項に記載の方法。
【請求項２４】
前記プリアンブルの前記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは前記プリアンブルの前記伝送電力を表し、ＰＣＭＡＸは前記端末デバイスの最大伝送電力を表し、ＰＴＡＲＧＥＴは前記プリアンブルの前記ターゲット受信電力を表し、ＰＬは前記パス損失を表し、
ＰＴＡＲＧＥＴ＝ＰＰ＋（Ｍ−１）ＰＳであり、
ＰＰは前記プリアンブルの初期のターゲット受信電力を表し、Ｍは前記現在の送信回数を表し、ＰＳは前記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、前記プリアンブルの送信の繰り返し回数である、
式に従って、前記端末デバイスにより決定される、請求項２３に記載の方法。
【請求項２５】
通信方法であって、
端末デバイスが、ネットワークデバイスにより送信された指示情報を受信する段階であって、前記指示情報は、前記端末デバイスによるアップリンク情報の送信の繰り返し回数を示すために使用される、段階、および、
前記繰り返し回数が第２閾値より大きいと前記端末デバイスが判定したとき、前記端末デバイスが、最大伝送電力を使用することにより前記アップリンク情報を送信する段階、または、
前記繰り返し回数が前記第２閾値より小さいか等しいと前記端末デバイスが判定したとき、前記端末デバイスが、第１電力を使用することにより前記アップリンク情報を送信する段階であって、前記第１電力は、パス損失、パス損失補償係数、または伝送帯域幅のうちの少なくとも１つに基づいて、前記端末デバイスにより決定される、段階
を備える方法。
【請求項２６】
前記指示情報はアップリンクグラントＵＬ  ｇｒａｎｔに保持され、かつ、前記アップリンク情報はアップリンクデータである、または、
前記指示情報はランダムアクセス応答ＲＡＲに保持され、かつ、前記アップリンク情報はメッセージ３である、
請求項２５に記載の方法。
【請求項２７】
前記第２閾値は予め設定される、前記第２閾値は前記ＲＡＲにより示される、または、前記第２閾値は、システムメッセージを使用することにより構成される、
請求項２５または２６に記載の方法。
【請求項２８】
通信方法であって、
ネットワークデバイスが、端末デバイスにより送信されたランダムアクセスプリアンブルを受信する段階と、
前記ネットワークデバイスが前記端末デバイスにランダムアクセス応答ＲＡＲを送信する段階であって、前記ＲＡＲは第１リソースを示す、段階と、
前記ネットワークデバイスが、前記端末デバイスにより送信されたダウンリンクチャネルの品質指示情報を受信する段階であって、前記ダウンリンクチャネルの品質指示情報は、前記第１リソースを使用することによって前記端末デバイスにより送信されるメッセージ３に保持され、前記ダウンリンクチャネルの品質指示情報は、ダウンリンクチャネルの品質を示すために使用される、段階と、
前記ネットワークデバイスが、前記ダウンリンクチャネルの品質に基づいて、メッセージ４の送信の最大繰り返し回数、および／または、前記端末デバイスのＵＥ固有検索空間ＵＳＳの最大値を決定する段階と
を備える方法。
【請求項２９】
前記ダウンリンクチャネルの品質指示情報は、構成情報の指示に基づいて前記端末デバイスにより送信され、前記構成情報は、前記ネットワークデバイスにより送信される前記ＲＡＲに保持される、または、前記構成情報はシステムメッセージに保持される、
請求項２８に記載の方法。
【請求項３０】
前記ダウンリンクチャネルの品質指示情報は、基準信号受信品質ＲＳＲＱ、または、前記端末デバイスによるＲＡＲ復調中の狭帯域物理ダウンリンク制御チャネルＮＰＤＣＣＨの繰り返し回数を含む、
請求項２８または２９に記載の方法。
【請求項３１】
処理ユニットと送受信ユニットとを備える端末デバイスであって、
前記処理ユニットは、少なくとも２つのカバレッジレベルから現在のカバレッジレベルを決定するように構成され、前記少なくとも２つのカバレッジレベルの各々は電力上昇ステップに対応し、
前記送受信ユニットは、前記現在のカバレッジレベルに対応する現在の電力上昇ステップに基づいて、電力上昇方式でネットワークデバイスにランダムアクセスプリアンブルを送信するように構成される、
端末デバイス。
【請求項３２】
前記送受信ユニットは、前回前記プリアンブルの送信に失敗したとき、前記現在の電力上昇ステップにより前記プリアンブルの伝送電力を増やして新しい電力を取得し、前記新しい電力を使用することにより前記プリアンブルを再送信するように特に構成される、
請求項３１に記載の端末デバイス。
【請求項３３】
前記送受信ユニットは、前記現在のカバレッジレベルでの前記プリアンブルの送信回数が第１閾値より大きいとき、前記現在のカバレッジレベルの次のカバレッジレベルで前記ネットワークデバイスに前記プリアンブルを送信するように更に構成され、
前記第１閾値は、前記現在のカバレッジレベルでのプリアンブルの最大伝送回数より小さい、
請求項３１または３２に記載の端末デバイス。
【請求項３４】
前記送受信ユニットは、前記次のカバレッジレベルに対応する繰り返し回数と、前記現在のカバレッジレベルに対応する前記現在の電力上昇ステップとを使用することにより、電力上昇方式で前記プリアンブルを送信するように特に構成される、
請求項３３に記載の端末デバイス。
【請求項３５】
前記処理ユニットは、基準信号受信性能に基づいて、前記少なくとも２つのカバレッジレベルから前記現在のカバレッジレベルを決定するように特に構成される、
請求項３１から３４の何れか一項に記載の端末デバイス。
【請求項３６】
前記処理ユニットは、基準信号受信電力および前記基準信号受信性能に基づいて、前記少なくとも２つのカバレッジレベルから前記現在のカバレッジレベルを決定するように特に構成される、
請求項３５に記載の端末デバイス。
【請求項３７】
前記処理ユニットは、
前記基準信号受信電力に基づいて初期のカバレッジレベルを決定することと、
前記初期のカバレッジレベルが前記基準信号受信性能と一致しないとき、前記基準信号受信性能に対応するカバレッジレベルを前記現在のカバレッジレベルとして決定することと
を行うように特に構成される、
請求項３６に記載の端末デバイス。
【請求項３８】
前記送受信ユニットは、
前記ネットワークデバイスにより送信された指示情報を受信することであって、前記指示情報は、前記端末デバイスによるアップリンク情報の送信の繰り返し回数を示すために使用される、受信すること、および、
前記繰り返し回数が第２閾値より大きいと判定されたとき、最大伝送電力を使用することにより前記アップリンク情報を送信すること、または、
前記繰り返し回数が前記第２閾値より小さいか等しいと判定されたとき、第１電力を使用することにより前記アップリンク情報を送信することであって、前記第１電力は、パス損失、パス損失補償係数、または伝送帯域幅のうちの少なくとも１つに基づいて、前記端末デバイスにより決定される、送信すること
を行うように更に構成される、
請求項３１から３７の何れか一項に記載の端末デバイス。
【請求項３９】
前記指示情報はアップリンクグラントＵＬ  ｇｒａｎｔに保持され、かつ、前記アップリンク情報はアップリンクデータである、または、
前記指示情報はランダムアクセス応答ＲＡＲに保持され、かつ、前記アップリンク情報はメッセージ３である、
請求項３８に記載の端末デバイス。
【請求項４０】
前記第２閾値は予め設定される、前記第２閾値は前記ＲＡＲにより示される、または、前記第２閾値は、システムメッセージを使用することにより構成される、
請求項３８または３９に記載の端末デバイス。
【請求項４１】
前記プリアンブルの前記伝送電力は、前記プリアンブルのターゲット受信電力と、前記端末デバイスと前記ネットワークデバイスとの間のパス損失とに基づいて決定され、前記プリアンブルの前記ターゲット受信電力は、前記現在の電力上昇ステップと、前記プリアンブルの現在の送信回数とに関連する、
請求項３１から４０の何れか一項に記載の端末デバイス。
【請求項４２】
前記プリアンブルの前記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは前記プリアンブルの前記伝送電力を表し、ＰＣＭＡＸは前記端末デバイスの前記最大伝送電力を表し、ＰＴＡＲＧＥＴは前記プリアンブルの前記ターゲット受信電力を表し、ＰＬは前記パス損失を表し、
ＰＴＡＲＧＥＴ＝ＰＰ＋（Ｍ−１）ＰＳであり、
ＰＰは前記プリアンブルの初期のターゲット受信電力を表し、Ｍは前記現在の送信回数を表し、ＰＳは前記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、前記プリアンブルの送信の繰り返し回数である、
式に従って、前記送受信ユニットにより決定される、請求項４１に記載の端末デバイス。
【請求項４３】
前記送受信ユニットは、ダウンリンクチャネルの品質に対応するカバレッジレベルが前記現在のカバレッジレベルと一致しないことを前記端末デバイスが検出したとき、前記ダウンリンクチャネルの品質に対応する前記カバレッジレベルでランダムアクセス手順を再開するように更に構成される、
請求項３１から４２の何れか一項に記載の端末デバイス。
【請求項４４】
前記送受信ユニットは、前記ネットワークデバイスにダウンリンクチャネルの品質指示情報を送信することであって、前記ダウンリンクチャネルの品質指示情報は、前記端末デバイスにより送信されるメッセージ３に保持され、前記ダウンリンクチャネルの品質指示情報は、ダウンリンクチャネルの品質を示すために使用される、送信することを行うように更に構成される、
請求項３１から４３の何れか一項に記載の端末デバイス。
【請求項４５】
前記送受信ユニットは、構成情報の指示に基づいて前記ネットワークデバイスに前記ダウンリンクチャネルの品質指示情報を送信することであって、前記構成情報は、前記ネットワークデバイスにより送信されるＲＡＲに保持される、または、前記構成情報はシステムメッセージに保持される、送信することを行うように特に構成される、
請求項４４に記載の端末デバイス。
【請求項４６】
前記ダウンリンクチャネルの品質指示情報は、基準信号受信品質ＲＳＲＱ、または、前記端末デバイスによるＲＡＲ復調中の狭帯域物理ダウンリンク制御チャネルＮＰＤＣＣＨの繰り返し回数を含む、
請求項４４または４５に記載の端末デバイス。
【請求項４７】
処理ユニットと送受信ユニットとを備える端末デバイスであって、
前記処理ユニットは、前記送受信ユニットを制御して、
ネットワークデバイスにランダムアクセスプリアンブルを送信することと、
前記ネットワークデバイスにより送信されたランダムアクセス応答ＲＡＲを受信することであって、前記ＲＡＲは第１リソースを示す、受信することと、
前記ネットワークデバイスにダウンリンクチャネルの品質指示情報を送信することであって、前記ダウンリンクチャネルの品質指示情報は、前記第１リソースを使用することによって前記端末デバイスにより送信されるメッセージ３に保持され、前記ダウンリンクチャネルの品質指示情報は、ダウンリンクチャネルの品質を示すために使用される、送信することと
を行うように構成される、
端末デバイス。
【請求項４８】
前記送受信ユニットは、構成情報に基づいて前記ネットワークデバイスに前記ダウンリンクチャネルの品質指示情報を送信することであって、前記構成情報は、前記ネットワークデバイスにより送信される前記ＲＡＲに保持される、または、前記構成情報はシステムメッセージに保持される、送信することを行うように特に構成される、
請求項４７に記載の端末デバイス。
【請求項４９】
前記ダウンリンクチャネルの品質指示情報は、基準信号受信品質ＲＳＲＱ、または、前記端末デバイスによるＲＡＲ復調中の狭帯域物理ダウンリンク制御チャネルＮＰＤＣＣＨの繰り返し回数を含む、
請求項４７または４８に記載の端末デバイス。
【請求項５０】
処理ユニットと送受信ユニットとを備える端末デバイスであって、
前記処理ユニットは、基準信号受信性能に基づいて現在のカバレッジレベルを決定するように構成され、
前記送受信ユニットは、前記現在のカバレッジレベルでランダムアクセスを実行するように構成される、
端末デバイス。
【請求項５１】
端末デバイスが基準信号受信性能に基づいて現在のカバレッジレベルを前記決定することは、
前記端末デバイスが前記基準信号受信性能および基準信号受信電力に基づいて前記現在のカバレッジレベルを決定すること
を含む、
請求項５０に記載の端末デバイス。
【請求項５２】
前記処理ユニットは、
前記基準信号受信電力に基づいて初期のカバレッジレベルを決定することと、
前記初期のカバレッジレベルが前記基準信号受信性能と一致しないとき、前記基準信号受信性能に対応するカバレッジレベルを前記現在のカバレッジレベルとして決定することと
を行うように特に構成される、
請求項５１に記載の端末デバイス。
【請求項５３】
前記送受信ユニットは、ネットワークデバイスにランダムアクセスプリアンブルを送信することであって、前記プリアンブルの伝送電力は、前記プリアンブルのターゲット受信電力と、前記端末デバイスと前記ネットワークデバイスとの間のパス損失とに基づいて決定され、前記プリアンブルの前記ターゲット受信電力は、現在の電力上昇ステップと、前記端末デバイスによる前記プリアンブルの現在の送信回数とに関連する、送信することを行うように特に構成される、
請求項５０から５２の何れか一項に記載の端末デバイス。
【請求項５４】
前記プリアンブルの前記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは前記プリアンブルの前記伝送電力を表し、ＰＣＭＡＸは前記端末デバイスの最大伝送電力を表し、ＰＴＡＲＧＥＴは前記プリアンブルの前記ターゲット受信電力を表し、ＰＬは前記パス損失を表し、
ＰＴＡＲＧＥＴ＝ＰＰ＋（Ｍ−１）ＰＳであり、
ＰＰは前記プリアンブルの初期のターゲット受信電力を表し、Ｍは前記現在の送信回数を表し、ＰＳは前記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、前記プリアンブルの送信の繰り返し回数である、
式に従って決定される、請求項５３に記載の端末デバイス。
【請求項５５】
処理ユニットと送受信ユニットとを備える端末デバイスであって、
前記端末デバイスは、ネットワークデバイスにより送信された指示情報を受信し、前記指示情報は、前記端末デバイスによるアップリンク情報の送信の繰り返し回数を示すために使用され、かつ、
前記繰り返し回数が第２閾値より大きいと前記端末デバイスが判定したとき、前記端末デバイスは、最大伝送電力を使用することにより前記アップリンク情報を送信する、または、
前記繰り返し回数が前記第２閾値より小さいか等しいと前記端末デバイスが判定したとき、前記端末デバイスは、第１電力を使用することにより前記アップリンク情報を送信し、前記第１電力は、パス損失、パス損失補償係数、または伝送帯域幅のうちの少なくとも１つに基づいて、前記端末デバイスにより決定される、
端末デバイス。
【請求項５６】
前記指示情報はアップリンクグラントＵＬ  ｇｒａｎｔに保持され、かつ、前記アップリンク情報はアップリンクデータである、または、
前記指示情報はランダムアクセス応答ＲＡＲに保持され、かつ、前記アップリンク情報はメッセージ３である、
請求項５５に記載の端末デバイス。
【請求項５７】
前記第２閾値は予め設定される、前記第２閾値は前記ＲＡＲにより示される、または、前記第２閾値は、システムメッセージを使用することにより構成される、
請求項５５または５６に記載の端末デバイス。
【請求項５８】
処理ユニットと送受信ユニットとを備えるネットワークデバイスであって、
前記送受信ユニットは、
端末デバイスにより送信されたランダムアクセスプリアンブルを受信することと、
前記端末デバイスにランダムアクセス応答ＲＡＲを送信することであって、前記ＲＡＲは第１リソースを示す、送信することと、
前記端末デバイスにより送信されたダウンリンクチャネルの品質指示情報を受信することであって、前記ダウンリンクチャネルの品質指示情報は、前記第１リソースを使用することによって前記端末デバイスにより送信されるメッセージ３に保持され、前記ダウンリンクチャネルの品質指示情報は、ダウンリンクチャネルの品質を示すために使用される、受信することと
を行うように構成され、
前記処理ユニットは、前記ダウンリンクチャネルの品質に基づいて、メッセージ４の送信の最大繰り返し回数、および／または、前記端末デバイスのＵＥ固有検索空間ＵＳＳの最大値を決定するように構成される、
ネットワークデバイス。
【請求項５９】
前記ダウンリンクチャネルの品質指示情報は、構成情報の指示に基づいて前記端末デバイスにより送信され、前記構成情報は、前記送受信ユニットにより送信される前記ＲＡＲに保持される、または、前記構成情報はシステムメッセージに保持される、
請求項５８に記載のネットワークデバイス。
【請求項６０】
前記ダウンリンクチャネルの品質指示情報は、基準信号受信品質ＲＳＲＱ、または、前記端末デバイスによるＲＡＲ復調中の狭帯域物理ダウンリンク制御チャネルＮＰＤＣＣＨの繰り返し回数を含む、
請求項５８または５９に記載のネットワークデバイス。
【発明の詳細な説明】
【技術分野】
【０００１】
本願は、通信分野、特に、通信方法およびデバイスに関する。
【背景技術】
【０００２】
マシンツーマシン（ｍａｃｈｉｎｅ  ｔｏ  ｍａｃｈｉｎｅ、Ｍ２Ｍ）通信とも呼ばれることがあるマシン型通信（ｍａｃｈｉｎｅ  ｔｙｐｅ  ｃｏｍｍｕｎｉｃａｔｉｏｎ、ＭＴＣ）、またはモノのインターネット（ｉｎｔｅｒｎｅｔ  ｏｆ  ｔｈｉｎｇｓ、ＩｏＴ）は、通信分野における重要な将来のアプリケーションである。将来のモノのインターネット通信は、スマートメータリング、医療上の検出および監視、物流上の検出、産業上の検出および監視、インターネットオブビークル、インテリジェントコミュニティ、並びにウェアラブルデバイス通信などを主に網羅し得る。ＭＴＣに基づいて構築されるモノのインターネット産業は、情報産業においてコンピュータ、インターネット、およびモバイル通信ネットワークに続く第４の潮流とみなされ、将来のネットワーク開発動向である。
【０００３】
重要なＭＴＣ通信システムのタイプは、既存のセルラネットワークインフラに基づく通信システムであり、このタイプのＭＴＣは通常、セルラＭＴＣ（ｃｅｌｌｕｌａｒ  ＭＴＣ）またはセルラＩｏＴ（ｃｅｌｌｕｌａｒ  ＩｏＴ、ＣＩｏＴ）としてみなされる。現在、セルラＭＴＣサービスは、ネットワークおよび端末デバイスに対して主に以下の要件を課している。
【０００４】
広いカバレッジの要件：現在の目に見えるＭＴＣサービスは通常、あまり高いサービスレートを必要としないが、広いカバレッジをサポートする能力を必要とする。広いカバレッジとは、ＭＴＣ基地局が比較的強力なカバレッジ向上技術を有しており、透過損失が比較的高い（例えば、１６４ｄＢの）場合にユーザ機器に対して通信サービスを提供できることを意味する。例えば、スマート水道／電気メータなど、スマートホームまたはスマートメータリングサービスにおけるユーザ機器は通常、屋内に設置されるか、地下にさえ設置される。既存のセルラネットワーク技術を使用することによりこうした場所でデバイスに信頼性のある通信サービスを提供するのは難しいが、一方で、ＭＴＣ基地局はこのようなデバイスにロバストな接続サービスを提供する必要がある。
【０００５】
極めて多くの接続：スマート水道／電気メータ、インテリジェントコミュニティ、監視デバイス、車両、およびウェアラブルデバイスなど、大規模に展開されるモノのインターネット端末デバイスでは、１つのＭＴＣ基地局によりサービスを提供されるこのような端末デバイスは多い（数万を超える、または、数十万でさえ超える）ことがあり、その数は既存のモバイル端末の数よりはるかに多い。ネットワークの混雑を回避しつつ、同時に、このような膨大な数の端末デバイスに対していかに接続サービスを提供するかが、解決する必要がある問題である。
【０００６】
低費用（ｌｏｗ  ｃｏｓｔ）：ＭＴＣ端末デバイスの費用を既存のモバイル端末の費用より低くする必要があり、低費用はＭＴＣ端末デバイスを大規模に展開するための前提条件である。
【０００７】
低い電力消費（ｌｏｗ  ｐｏｗｅｒ  ｃｏｎｓｕｍｐｔｉｏｎ）：ＭＴＣ端末の実際の適用が多様であり、かつ、展開環境が様々であることから、通常はバッテリを使用することにより電力がＭＴＣ端末デバイスに供給される。このような膨大な数のデバイスのためにバッテリを交換する必要がある場合は、極めて高い人件費および時間費用が支払われる。ＭＴＣデバイスの機能コンポーネントは通常極めて低い電力消費レベルを必要とすることから、デバイスの待機時間をより長くすることができ、これにより、バッテリの交換回数が減少する。
【０００８】
第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）標準化団体はセルラＭＴＣの開発に力を入れており、狭帯域ＩｏＴ（ｎａｒｒｏｗｂａｎｄ  ＩｏＴ、ＮＢ−ＩｏＴ）システムに関連する討議を行うなど、関連技術の標準化を積極的に実施している。
【０００９】
ＮＢ‐ＩｏＴシステムは極めて広いカバレッジエリアをサポートする必要があるので、様々な通信環境にある端末デバイスでは、ネットワークデバイスのスケジューリングポリシが全く異なる。例えば、セルの中心位置にある端末デバイスは、無線チャネルの状態が望ましく、ネットワークデバイスは、比較的低い電力のみを使用することにより信頼性のあるダウンリンクを確立することができ、大きなトランスポートコードブロック、より高次の変調、およびキャリアバインディングなどの技術的手段を使用することにより、データ伝送を迅速に完了することができる。ただし、セルの端または地下にある端末デバイスは、無線チャネルの品質が比較的低く、ネットワークデバイスは、比較的高い電力を必要とするリンクを維持することができ、小さなコードブロック、より低次の変調、複数回にわたる繰り返し送信、およびスペクトラム拡散などの技術的手段を使用することにより、データ伝送プロセスにおけるデータ伝送を完了することができる。
【００１０】
通信の信頼性を確保し、ネットワークデバイスの伝送電力を削減するには、様々なチャネル状態の端末デバイスを区別して、ネットワークデバイスがスケジューリングを実行する手助けをする必要がある。このことを考慮して、ＮＢ‐ＩｏＴシステムには「カバレッジレベル」という概念が導入されている。同じカバレッジレベルにおける端末デバイスのチャネル伝送状態は類似している。ネットワークデバイスはこのようなユーザに対して同様のスケジューリングパラメータを使用してよく、当該ユーザにより占有される制御シグナリングのオーバヘッドも類似している。例えば、ＮＢ‐ＩｏＴシステムでは、分類によってダウンリンクで３つのカバレッジレベルが取得されてよい。ネットワークデバイスに比較的近い端末デバイスのカバレッジレベルは「通常カバレッジ」（例えば、カバレッジレベル０）であり、繰り返し回数は０である。ネットワークデバイスから比較的遠い端末デバイスのカバレッジレベルは「エッジカバレッジ」（例えば、カバレッジレベル１）であり、繰り返し回数は８または１６である。地下などのシナリオにおける端末デバイスのカバレッジレベルは「拡張カバレッジ」（例えば、カバレッジレベル２）であり、繰り返し回数は最大３２、６４、またはそれより多くてよい。端末デバイスがカバレッジレベルに基づいてプリアンブル（ｐｒｅａｍｂｌｅ）の適切な伝送回数を選択することから、不必要な繰り返し回数および電力のオーバヘッドが削減され得る。
【００１１】
現在、ＮＢ‐ＩｏＴにおけるカバレッジレベルは、端末デバイスがダウンリンク基準信号受信電力（ｒｅｆｅｒｅｎｃｅ  ｓｉｇｎａｌ  ｒｅｃｅｉｖｅｄ  ｐｏｗｅｒ、ＲＳＲＰ）測定値を、ネットワークデバイスにより予め構成されたＲＳＲＰ閾値と比較した後に決定される特定のカバレッジレベルである。具体的に言うと、ネットワークデバイスは、システムメッセージで、様々なカバレッジレベルのＲＳＲＰ判定閾値を提供する。端末デバイスは、ＲＳＲＰと判定閾値との比較結果に基づいて、対応するカバレッジレベルを決定し、当該カバレッジレベルに対応する狭帯域物理ランダムアクセスチャネル（ｎａｒｒｏｗｂａｎｄ  ｐｈｙｓｉｃａｌ  ｒａｎｄｏｍ  ａｃｃｅｓｓ  ｃｈａｎｎｅｌ、ＮＰＲＡＣＨ）リソースでプリアンブル（ｐｒｅａｍｂｌｅ）を送信する。最小繰り返し回数に対応するプリアンブルの場合は、端末デバイスはまず、比較的低い電力を使用することにより当該プリアンブルを送信する。送信が失敗した場合は、端末デバイスは伝送電力を増やす。別の繰り返し回数に対応するプリアンブルの場合は、端末デバイスは、最大電力を使用することにより当該プリアンブルを伝送する。
【００１２】
ネットワークデバイスの観点から、ネットワークデバイスは、全てのＮＰＲＡＣＨリソース上のプリアンブルを検出する。端末により送信されたプリアンブルをネットワークデバイスが検出すると、検出されたプリアンブルが配置されているリソースに基づいて、端末のカバレッジレベルが決定され、推定されるカバレッジレベルの大きさに基づいて、ダウンリンク狭帯域物理ダウンリンク制御チャネル（ｎａｒｒｏｗｂａｎｄ  ｐｈｙｓｉｃａｌ  ｄｏｗｎｌｉｎｋ  ｃｏｎｔｒｏｌ  ｃｈａｎｎｅｌ、ＮＰＤＣＣＨ）の繰り返し回数が決定される。ランダムアクセス応答（ｒａｎｄｏｍ  ａｃｃｅｓｓ  ｒｅｓｐｏｎｓｅ、ＲＡＲ）がＮＰＤＣＣＨで更にスケジューリングされ、端末デバイスにフィードバックされる。
【００１３】
上述の説明に基づいて、既存のＮＢ‐ＩｏＴシステムでは、端末デバイスがカバレッジレベル０でアクセスの実行に失敗した場合、端末デバイスはランダムアクセスのためにカバレッジレベル１に切り替わる。既存のプロトコルによれば、端末デバイスは、最大電力を使用することによりプリアンブルを送信する必要がある。この場合は、端末デバイスは実際に依然としてカバレッジレベル０にあり、ネットワークデバイスに比較的近い。故に、最大電力を使用することによりプリアンブルが送信される場合は、ネットワークデバイスの受信機のノイズフロアが増し、別のより高いカバレッジレベルにおける端末デバイスのランダムアクセスに影響する。
【発明の概要】
【００１４】
本願の実施形態は、別の端末デバイスへの影響を減らすための通信方法およびデバイスを提供する。
【００１５】
第１態様によれば、通信方法が提供される。方法は、端末デバイスが少なくとも２つのカバレッジレベルから現在のカバレッジレベルを決定する段階であって、少なくとも２つのカバレッジレベルの各々は、電力上昇ステップに対応する、段階と、端末デバイスが、現在のカバレッジレベルに対応する電力上昇ステップに基づいて、電力上昇方式でネットワークデバイスにランダムアクセスプリアンブルを送信する段階とを含む。
【００１６】
故に、本願のこの実施形態では、端末デバイスは、電力上昇方式で決定される電力を使用することにより現在のレベルでプリアンブルを送信し、最大電力を使用することによりプリアンブルを直接送信するという従来技術方式は使われない。これによって、別の端末デバイスへの影響を減らすことができる。
【００１７】
端末デバイスが現在のカバレッジレベルでプリアンブルの送信に失敗した後に当該プリアンブルを再送信するとき、電力上昇ステップは電力増加振幅を示すことを理解されたい。
【００１８】
本願のこの実施形態では、端末デバイスがプリアンブルを送信した後、ＲＡＲが受信されない場合は送信が失敗したことを示す、または、端末デバイスがＲＡＲを受信したが、送信されたプリアンブルをＲＡＲが含まないときも、送信が失敗したことを示すことを理解されたい。
【００１９】
オプションとして、第１態様の実装では、端末デバイスは、基準信号受信電力に基づいて少なくとも２つのカバレッジレベルから現在のカバレッジレベルを決定する。
【００２０】
オプションとして、第１態様の実装では、端末デバイスは、基準信号受信性能に基づいて少なくとも２つのカバレッジレベルから現在のカバレッジレベルを決定する。
【００２１】
オプションとして、第１態様の実装では、端末デバイスが、基準信号受信性能に基づいて、少なくとも２つのカバレッジレベルから現在のカバレッジレベルを決定する段階は、端末デバイスが基準信号受信電力に基づいて初期のカバレッジレベルを決定する段階と、初期のカバレッジレベルが基準信号受信性能と一致しないとき、端末デバイスが、基準信号受信性能に対応するカバレッジレベルを現在のカバレッジレベルとして決定する段階とを含む。
【００２２】
例えば、基準信号受信電力に対応する初期のカバレッジレベルがカバレッジレベルＮであり、かつ、基準信号受信性能がカバレッジレベルＮ＋１に対応するとき、端末デバイスは、現在のカバレッジレベルがカバレッジレベルＮ＋１であると判定する、または、基準信号受信電力に対応する初期のカバレッジレベルがカバレッジレベルＮであり、かつ、基準信号受信性能がカバレッジレベルＮ＋２に対応するとき、端末デバイスは、現在のカバレッジレベルがカバレッジレベルＮ＋２であると判定する。
【００２３】
オプションとして、第１態様の実装では、端末デバイスが、現在のカバレッジレベルに対応する電力上昇ステップに基づいて、電力上昇方式でネットワークデバイスにランダムアクセスプリアンブルを送信する段階は、前回プリアンブルの送信に失敗したとき、端末デバイスが、現在のカバレッジレベルに対応する現在の電力上昇ステップによりプリアンブルの伝送電力を増やして新しい電力を取得する段階と、新しい電力を使用することによりプリアンブルを再送信する段階とを含む。
【００２４】
本願のこの実施形態では、プリアンブルを１回送信することは、現在のカバレッジレベルに対応する繰り返し回数に基づいて当該プリアンブルを送信することを示すことを理解されたい。
【００２５】
初めての送信が失敗したとき、端末デバイスは、電力上昇ステップにより初回の電力を増やした後にプリアンブルを再送信する。他の場合は上述と類似している。オプションとして、実際の適用において、端末デバイスは、プリアンブルのターゲット受信電力と、端末デバイスとネットワークデバイスとの間のパス損失とに基づいて、プリアンブルの伝送電力を決定してよく、プリアンブルのターゲット受信電力は、現在の電力上昇ステップと、端末デバイスによるプリアンブルの現在の送信回数とに関連する。
【００２６】
オプションとして、プリアンブルの伝送電力は、ＰＮＰＲＡＣＨ＝ｍｉｎ｛ＰＣＭＡＸ，ＰＴＡＲＧＥＴ＋ＰＬ｝［ｄＢｍ］という式であって、ＰＮＰＲＡＣＨはプリアンブルの伝送電力を表し、ＰＣＭＡＸは端末デバイスの最大伝送電力を表し、ＰＴＡＲＧＥＴはプリアンブルのターゲット受信電力を表し、ＰＬはパス損失を表し、ＰＴＡＲＧＥＴ＝ＰＰ＋（Ｍ−１）ＰＳであり、ＰＰはプリアンブルの初期のターゲット受信電力を表し、Ｍは現在の送信回数を表し、ＰＳは現在の電力上昇ステップを表す、式、または、ＰＴＡＲＧＥＴ＝ＰＰ＋（Ｍ−１）ＰＳ−１０×ｌｏｇ１０Ｎｒという式であって、Ｎｒは、プリアンブルの送信の繰り返し回数である、式に従って、端末デバイスにより決定される。
【００２７】
本願のこの実施形態では、ＰＣＭＡＸは、プロトコル内のパラメータ
【数１】
2020524948.tif 000003
であり、ＮＢ−ＩｏＴアップリンクスロットｉ内のサービングセルｃにある端末デバイスの最大伝送電力を示し、ＰＴＡＲＧＥＴは、プロトコル内のパラメータＮＡＲＲＯＷＢＡＮＤ＿ＰＲＥＡＭＢＬＥ＿ＲＥＣＥＩＶＥＤ＿ＴＡＲＧＥＴ＿ＰＯＷＥＲであるか、または、ＰＴＡＲＧＥＴは、プロトコル内のパラメータＰＲＥＡＭＢＬＥ＿ＲＥＣＥＩＶＥＤ＿ＴＡＲＧＥＴ＿ＰＯＷＥＲであり、ＰＬは、プロトコル内のパラメータＰＬｃであり、ダウンリンクパス損失を示し、ＰＰは、プロトコル内のパラメータｐｒｅａｍｂｌｅＩｎｉｔｉａｌＲｅｃｅｉｖｅｄＴａｒｇｅｔＰｏｗｅｒであり、Ｍは、プロトコル内のパラメータＰＲＥＡＭＢＬＥ＿ＴＲＡＮＳＭＩＳＳＩＯＮ＿ＣＯＵＮＴＥＲであり、Ｎｒは、プロトコル内のパラメータｎｕｍＲｅｐｅｔｉｔｉｏｎＰｅｒＰｒｅａｍｂｌｅＡｔｔｅｍｐｔであることを理解されたい。
【００２８】
上述の式は、単に伝送電力を決定する特定の形態であり、上述の式に基づいて適宜変更が実行されてよいことを理解されたい。本願のこの実施形態はこれに限定されない。
【００２９】
オプションとして、第１態様の実装では、方法は、現在のカバレッジレベルでの端末デバイスによるプリアンブルの送信回数が第１閾値より大きいとき、端末デバイスが現在のカバレッジレベルの次のカバレッジレベルでネットワークデバイスにプリアンブルを送信する段階を更に含み、第１閾値は、各カバレッジレベルでのプリアンブルの最大伝送回数より小さい。
【００３０】
この場合は、本願のこの実施形態において、現在のカバレッジレベルでのプリアンブルの送信回数が第１閾値より大きいとき、カバレッジレベルの切り替えが実行されてよい。第１閾値はプリアンブルの最大伝送回数より小さいので、現在のチャネル品質が比較的低いとき、現在のカバレッジレベルにおける不必要な失敗の数を減らすことができる。これによって、リソースの無駄が減り、ネットワーク性能が高まる。
【００３１】
オプションとして、第１態様の実装では、端末デバイスが現在のカバレッジレベルの次のカバレッジレベルでネットワークデバイスにプリアンブルを送信する段階は、端末デバイスが、次のカバレッジレベルに対応する繰り返し回数と、現在のカバレッジレベルに対応する現在の電力上昇ステップとを使用することにより、電力上昇方式でプリアンブルを送信する段階を含む。
【００３２】
故に、本願のこの実施形態では、レベルの切り替え中、端末デバイスは依然として、電力上昇方式で決定される電力を使用することによりプリアンブルを送信し、最大電力を使用することによりプリアンブルを直接送信するという従来技術方式は使われない。これによって、別の端末デバイスへの影響を減らすことができる。加えて、レベルの切り替え後、伝送電力は前の電力制御方式で決定されるが、次のカバレッジレベルに対応する繰り返し回数に基づいてプリアンブルが送信されることから、各伝送におけるプリアンブルの繰り返し回数を増やすことができ、これにより、アクセス成功確率が高まる。
【００３３】
オプションとして、第１態様の実装では、方法は、端末デバイスが、ネットワークデバイスにより送信された指示情報を受信する段階であって、指示情報は、端末デバイスによるアップリンク情報の送信の繰り返し回数を示すために使用される、段階、および、繰り返し回数が第２閾値より大きいと端末デバイスが判定したとき、端末デバイスが、最大伝送電力を使用することによりアップリンク情報を送信する段階、または、繰り返し回数が第２閾値より小さいか等しいと端末デバイスが判定したとき、端末デバイスが、第１電力を使用することによりアップリンク情報を送信する段階であって、第１電力は、パス損失、パス損失補償係数、または伝送帯域幅のうちの少なくとも１つに基づいて、端末デバイスにより決定される、段階を更に含む。
【００３４】
オプションとして、第１態様の実装では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【００３５】
オプションとして、第１態様の実装では、第２閾値は予め設定される、第２閾値はＲＡＲにより示される、または、第２閾値は、システムメッセージを使用することにより構成される。
【００３６】
オプションとして、第１態様の実装では、方法は、ダウンリンクチャネルの品質に対応するカバレッジレベルが現在のカバレッジレベルと一致しないことを端末デバイスが検出したとき、端末デバイスが、ダウンリンクチャネルの品質に対応するカバレッジレベルでランダムアクセス手順を再開する段階を更に含む。
【００３７】
具体的に言うと、端末デバイスがランダムアクセス手順を完了した後、すなわち、端末デバイスがネットワークデバイスとのデータ伝送を実行するとき、ダウンリンクチャネルの品質に対応するカバレッジレベルが現在のカバレッジレベルと一致しないことを端末デバイスが検出した場合は、端末デバイスは、ダウンリンクチャネルの品質に対応するカバレッジレベルに基づいてランダムアクセス手順を再開し、次いで、再開されたランダムアクセス手順が完了した後にデータ伝送を実行する。
【００３８】
オプションとして、第１態様の実装では、方法は、端末デバイスがネットワークデバイスにダウンリンクチャネルの品質指示情報を送信する段階であって、ダウンリンクチャネルの品質指示情報は、端末デバイスにより送信されるメッセージ３に保持され、ダウンリンクチャネルの品質指示情報は、ダウンリンクチャネルの品質を示すために使用される、段階を更に含む。
【００３９】
オプションとして、第１態様の実装では、端末デバイスがネットワークデバイスにダウンリンクチャネルの品質指示情報を送信する段階は、端末デバイスが構成情報の指示に基づいてネットワークデバイスにダウンリンクチャネルの品質指示情報を送信する段階であって、構成情報は、ネットワークデバイスにより送信されるＲＡＲに保持される、または、構成情報はシステムメッセージに保持される、段階を含む。
【００４０】
オプションとして、第１態様の実装では、ダウンリンクチャネルの品質指示情報は、基準信号受信品質ＲＳＲＱ、または、端末デバイスによるＲＡＲ復調中のＮＰＤＣＣＨの繰り返し回数を含む。
【００４１】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＥ固有検索空間（ＵＥ−ｓｐｅｃｉｆｉｃ  ｓｅａｒｃｈ  ｓｐａｃｅ、ＵＳＳ）の最大値を適切に決定することができる。これによって、既存の問題が解決し、かつ、端末デバイスの過剰な電力消費およびシステムリソースの無駄が回避されることにより、ネットワーク性能が高まる。
【００４２】
第２態様によれば、通信方法が提供される。方法は、端末デバイスがネットワークデバイスにランダムアクセスプリアンブルを送信する段階と、端末デバイスが、ネットワークデバイスにより送信されたランダムアクセス応答ＲＡＲを受信する段階であって、ＲＡＲは第１リソースを示す、段階と、端末デバイスがネットワークデバイスにダウンリンクチャネルの品質指示情報を送信する段階であって、ダウンリンクチャネルの品質指示情報は、第１リソースを使用することによって端末デバイスにより送信されるメッセージ３に保持され、ダウンリンクチャネルの品質指示情報は、ダウンリンクチャネルの品質を示すために使用される、段階とを含む。
【００４３】
オプションとして、第２態様の実装では、端末デバイスがネットワークデバイスにダウンリンクチャネルの品質指示情報を送信する段階は、端末デバイスが構成情報に基づいてネットワークデバイスにダウンリンクチャネルの品質指示情報を送信する段階であって、構成情報は、ネットワークデバイスにより送信されるＲＡＲに保持される、または、構成情報はシステムメッセージに保持される、段階を含む。
【００４４】
オプションとして、第２態様の実装では、ダウンリンクチャネルの品質指示情報は、基準信号受信品質ＲＳＲＱ、または、端末デバイスによるＲＡＲ復調中のＮＰＤＣＣＨの繰り返し回数を含む。
【００４５】
具体的に言うと、ネットワークデバイスがダウンリンクチャネルの品質指示情報を受信するとき、ネットワークデバイスは、ダウンリンクチャネルの品質に基づいて、メッセージ４の送信の最大繰り返し回数を適切に選択することができる。加えて、ＲＲＣ接続確立プロセスでは、ネットワークデバイスは、ダウンリンクチャネルの品質に基づいて、端末デバイスのＵＥ固有検索空間ＵＳＳの最大値を適切に構成する。
【００４６】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＥ固有検索空間ＵＳＳの最大値を適切に決定することができる。これによって、既存の問題が解決し、かつ、端末デバイスの過剰な電力消費およびシステムリソースの無駄が回避されることにより、ネットワーク性能が高まる。
【００４７】
第３態様によれば、通信方法が提供される。方法は、端末デバイスが基準信号受信性能に基づいて現在のカバレッジレベルを決定する段階と、端末デバイスが現在のカバレッジレベルでランダムアクセスを実行する段階とを含む。
【００４８】
オプションとして、第３態様の実装では、端末デバイスが基準信号受信性能に基づいて現在のカバレッジレベルを決定する段階は、端末デバイスが基準信号受信性能および基準信号受信電力に基づいて現在のカバレッジレベルを決定する段階を含む。
【００４９】
オプションとして、第３態様の実装では、端末デバイスが基準信号受信性能および基準信号受信電力に基づいて現在のカバレッジレベルを決定する段階は、端末デバイスが基準信号受信電力に基づいて初期のカバレッジレベルを決定する段階と、初期のカバレッジレベルが基準信号受信性能と一致しないとき、端末デバイスが、基準信号受信性能に対応するカバレッジレベルを現在のカバレッジレベルとして決定する段階とを含む。
【００５０】
オプションとして、第３態様の実装では、端末デバイスが現在のカバレッジレベルでランダムアクセスを実行する段階は、端末デバイスがネットワークデバイスにランダムアクセスプリアンブルを送信する段階であって、プリアンブルの伝送電力は、プリアンブルのターゲット受信電力と、端末デバイスとネットワークデバイスとの間のパス損失とに基づいて、端末デバイスにより決定され、プリアンブルのターゲット受信電力は、現在の電力上昇ステップと、端末デバイスによるプリアンブルの現在の送信回数とに関連する、段階を含む。
【００５１】
オプションとして、第３態様の実装では、プリアンブルの伝送電力は、ＰＮＰＲＡＣＨ＝ｍｉｎ｛ＰＣＭＡＸ，ＰＴＡＲＧＥＴ＋ＰＬ｝［ｄＢｍ］という式であって、ＰＮＰＲＡＣＨはプリアンブルの伝送電力を表し、ＰＣＭＡＸは端末デバイスの最大伝送電力を表し、ＰＴＡＲＧＥＴはプリアンブルのターゲット受信電力を表し、ＰＬはパス損失を表し、ＰＴＡＲＧＥＴ＝ＰＰ＋（Ｍ−１）ＰＳであり、ＰＰはプリアンブルの初期のターゲット受信電力を表し、Ｍは現在の送信回数を表し、ＰＳは現在の電力上昇ステップを表す、式、または、ＰＴＡＲＧＥＴ＝ＰＰ＋（Ｍ−１）ＰＳ−１０×ｌｏｇ１０Ｎｒという式であって、Ｎｒは、プリアンブルの送信の繰り返し回数である、式に従って、端末デバイスにより決定される。
【００５２】
故に、本願のこの実施形態では、端末デバイスが基準信号受信性能に基づいて現在のカバレッジレベルを決定し得ることから、現在のカバレッジレベルを柔軟かつ正確に決定することができ、ネットワーク性能が高まる。
【００５３】
第４態様によれば、通信方法が提供される。方法は、端末デバイスが、ネットワークデバイスにより送信された指示情報を受信する段階であって、指示情報は、端末デバイスによるアップリンク情報の送信の繰り返し回数を示すために使用される、段階、および、繰り返し回数が第２閾値より大きいと端末デバイスが判定したとき、端末デバイスが、最大伝送電力を使用することによりアップリンク情報を送信する段階、または、繰り返し回数が第２閾値より小さいか等しいと端末デバイスが判定したとき、端末デバイスが、第１電力を使用することによりアップリンク情報を送信する段階であって、第１電力は、パス損失、パス損失補償係数、または伝送帯域幅のうちの少なくとも１つに基づいて、端末デバイスにより決定される、段階を含む。
【００５４】
オプションとして、第４態様の実装では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【００５５】
オプションとして、第３態様の実装では、第２閾値は予め設定される、第２閾値はＲＡＲにより示される、または、第２閾値は、システムメッセージを使用することにより構成される。
【００５６】
故に、本願のこの実施形態では、指定された第２閾値が２より大きいので、メッセージ３のためにネットワークデバイスによって構成される繰り返し回数が２より大きい場合でも、当該繰り返し回数が第２閾値より小さい限り、端末デバイスは、最大電力の代わりに例えば第１電力を使用することによってメッセージ３を送信してよく、その結果、ネットワークデバイスのノイズフロアが減り、かつ、別の端末デバイスへの影響が減ることにより、ネットワーク性能が高まる。
【００５７】
第５態様によれば、通信方法が提供される。方法は、端末デバイスが基準信号受信電力に基づいて少なくとも２つのカバレッジレベルから現在のカバレッジレベルを決定するように、ネットワークデバイスが当該端末デバイスに基準信号を送信する段階であって、少なくとも２つのカバレッジレベルの各々は電力上昇ステップに対応する、段階と、ネットワークデバイスがランダムアクセスプリアンブルを受信する段階であって、プリアンブルは、現在のカバレッジレベルに対応する現在の電力上昇ステップに基づいて、電力上昇方式で端末デバイスにより送信される、段階とを含む。
【００５８】
故に、本願のこの実施形態では、レベルの切り替え中、端末デバイスは依然として、電力上昇方式で決定される電力を使用することによりプリアンブルを送信し、最大電力を使用することによりプリアンブルを直接送信するという従来技術方式は使われない。これによって、別の端末デバイスへの影響を減らすことができる。
【００５９】
オプションとして、第５態様の実装では、方法は、ネットワークデバイスが端末デバイスに指示情報を送信する段階であって、指示情報は、端末デバイスによるアップリンク情報の送信の繰り返し回数を示すために使用される、段階と、ネットワークデバイスがアップリンク情報を受信する段階であって、繰り返し回数が第２閾値より大きいとき、アップリンク情報は、最大伝送電力を使用することによって端末デバイスにより送信される、または、繰り返し回数が第２閾値より小さいか等しいとき、アップリンク情報は、第１電力を使用することによって端末デバイスにより送信され、第１電力は、パス損失、パス損失補償係数、または伝送帯域幅のうちの少なくとも１つに基づいて端末デバイスにより決定される、段階とを更に含む。
【００６０】
オプションとして、第５態様の実装では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【００６１】
オプションとして、第５態様の実装では、第２閾値は予め設定される、第２閾値はＲＡＲにより示される、または、第２閾値は、システムメッセージを使用することにより構成される。
【００６２】
オプションとして、第５態様の実装では、方法は、ネットワークデバイスが、端末デバイスにより送信されたダウンリンクチャネルの品質指示情報を受信する段階であって、ダウンリンクチャネルの品質指示情報は、端末デバイスにより送信され、かつ、ネットワークデバイスにより受信されるメッセージ３に保持され、ダウンリンクチャネルの品質指示情報は、ダウンリンクチャネルの品質を示すために使用される、段階と、ネットワークデバイスが、ダウンリンクチャネルの品質に基づいて、メッセージ４の送信の最大繰り返し回数、および／または、端末デバイスのＵＳＳの最大値を決定する段階とを更に含む。
【００６３】
オプションとして、第５態様の実装では、ダウンリンクチャネルの品質指示情報は、構成情報の指示に基づいて端末デバイスにより送信され、構成情報は、ネットワークデバイスにより送信されるＲＡＲに保持される、または、構成情報はシステムメッセージに保持される。
【００６４】
オプションとして、第５態様の実装では、ダウンリンクチャネルの品質指示情報は、基準信号受信品質ＲＳＲＱ、または、端末デバイスによるＲＡＲ復調中のＮＰＤＣＣＨの繰り返し回数を含む。
【００６５】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＳＳの最大値を適切に決定することができる。これによって、既存の問題が解決し、かつ、端末デバイスの過剰な電力消費およびシステムリソースの無駄が回避されることにより、ネットワーク性能が高まる。
【００６６】
第６態様によれば、通信方法が提供される。方法は、ネットワークデバイスが、端末デバイスにより送信されたランダムアクセスプリアンブルを受信する段階と、ネットワークデバイスが端末デバイスにランダムアクセス応答ＲＡＲを送信する段階であって、ＲＡＲは第１リソースを示す、段階と、ネットワークデバイスが、端末デバイスにより送信されたダウンリンクチャネルの品質指示情報を受信する段階であって、ダウンリンクチャネルの品質指示情報は、第１リソースを使用することによって端末デバイスにより送信されるメッセージ３に保持され、ダウンリンクチャネルの品質指示情報は、ダウンリンクチャネルの品質を示すために使用される、段階と、ネットワークデバイスが、ダウンリンクチャネルの品質に基づいて、メッセージ４の送信の最大繰り返し回数、および／または、端末デバイスのＵＳＳの最大値を決定する段階とを含む。
【００６７】
オプションとして、第６態様の実装では、ダウンリンクチャネルの品質指示情報は、構成情報の指示に基づいて端末デバイスにより送信され、構成情報は、ネットワークデバイスにより送信されるＲＡＲに保持される、または、構成情報はシステムメッセージに保持される。
【００６８】
オプションとして、第６態様の実装では、ダウンリンクチャネルの品質指示情報は、基準信号受信品質ＲＳＲＱ、または、端末デバイスによるＲＡＲ復調中のＮＰＤＣＣＨの繰り返し回数を含む。
【００６９】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＳＳの最大値を適切に決定することができる。これによって、既存の問題が解決し、かつ、端末デバイスの過剰な電力消費およびシステムリソースの無駄が回避されることにより、ネットワーク性能が高まる。
【００７０】
第７態様によれば、通信方法が提供される。方法は、ネットワークデバイスが端末デバイスに指示情報を送信する段階であって、指示情報は、端末デバイスによるアップリンク情報の送信の繰り返し回数を示すために使用される、段階と、ネットワークデバイスがアップリンク情報を受信する段階であって、繰り返し回数が第２閾値より大きいとき、アップリンク情報は、最大伝送電力を使用することによって端末デバイスにより送信される、または、繰り返し回数が第２閾値より小さいか等しいとき、アップリンク情報は、第１電力を使用することによって端末デバイスにより送信され、第１電力は、パス損失、パス損失補償係数、または伝送帯域幅のうちの少なくとも１つに基づいて端末デバイスにより決定される、段階とを含む。
【００７１】
オプションとして、第７態様の実装では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【００７２】
オプションとして、第７態様の実装では、第２閾値は予め設定される、第２閾値はＲＡＲにより示される、または、第２閾値は、システムメッセージを使用することにより構成される。
【００７３】
故に、本願のこの実施形態では、指定された第２閾値が２より大きいので、メッセージ３のためにネットワークデバイスによって構成される繰り返し回数が２より大きい場合でも、当該繰り返し回数が第２閾値より小さい限り、端末デバイスは、最大電力の代わりに例えば第１電力を使用することによってメッセージ３を送信してよく、その結果、ネットワークデバイスのノイズフロアが減り、かつ、別の端末デバイスへの影響が減ることにより、ネットワーク性能が高まる。
【００７４】
第８態様によれば、端末デバイスが提供される。端末デバイスは、第１態様から第４態様、または第１態様から第４態様の考えられる実装の何れか１つにおける方法を実行するように構成される。具体的に言うと、端末デバイスは、上述の方法を実行するように構成されるユニットを含む。
【００７５】
第９態様によれば、ネットワークデバイスが提供される。ネットワークデバイスは、第５態様から第７態様、または第５態様から第７態様の考えられる実装の何れか１つにおける方法を実行するように構成される。具体的に言うと、ネットワークデバイスは、上述の方法を実行するように構成されるユニットを含む。
【００７６】
第１０態様によれば、コンピュータ可読媒体が提供される。コンピュータ可読媒体はコンピュータプログラムを記憶し、当該コンピュータプログラムがコンピュータにより実行されるとき、第１態様から第４態様、または第１態様から第４態様の考えられる実装の何れか１つにおける方法は実装される。
【００７７】
第１１態様によれば、コンピュータ可読媒体が提供される。コンピュータ可読媒体はコンピュータプログラムを記憶し、当該コンピュータプログラムがコンピュータにより実行されるとき、第５態様から第７態様、または第５態様から第７態様の考えられる実装の何れか１つにおける方法は実装される。
【００７８】
第１２態様によれば、コンピュータプログラム製品が提供される。コンピュータプログラム製品がコンピュータにより実行されるとき、第１態様から第４態様、または第１態様から第４態様の考えられる実装の何れか１つにおける方法は実装される。
【００７９】
第１３態様によれば、コンピュータプログラム製品が提供される。コンピュータプログラム製品がコンピュータにより実行されるとき、第５態様から第７態様、または第５態様から第７態様の考えられる実装の何れか１つにおける方法は実装される。
【００８０】
第１４態様によれば、プロセッサとインタフェースとを含む処理装置が提供される。プロセッサは、第１態様から第４態様、または第１態様から第４態様の考えられる実装の何れか１つにおける方法を実行するように構成される。
【００８１】
第１５態様によれば、プロセッサとインタフェースとを含む処理装置が提供される。プロセッサは、第５態様から第７態様、または第５態様から第７態様の考えられる実装の何れか１つにおける方法を実行するように構成される。
【００８２】
第１４態様または第１５態様における処理装置はチップであってよく、プロセッサは、ハードウェアまたはソフトウェアを使用することにより実装されてよいことを理解されたい。ハードウェアを使用することによりプロセッサが実装されるとき、プロセッサは論理回路または集積回路などであってよい。ソフトウェアを使用することによりプロセッサが実装されるとき、プロセッサは汎用プロセッサであってよく、メモリに記憶されたソフトウェアコードを読み取ることにより実装される。メモリはプロセッサに統合されてもよいし、プロセッサの外側に配置され、独立して存在してもよい。
【図面の簡単な説明】
【００８３】
【図１】本願の実施形態が適用され得るシナリオの概略図である。
【００８４】
【図２】本願の実施形態に係る通信方法の概略フローチャートである。
【００８５】
【図３】本願の別の実施形態に係る通信方法の概略フローチャートである。
【００８６】
【図４】本願の別の実施形態に係る通信方法の概略フローチャートである。
【００８７】
【図５】本願の別の実施形態に係るデータ伝送の概略フローチャートである。
【００８８】
【図６】本願の別の実施形態に係る通信方法の概略フローチャートである。
【００８９】
【図７】本願の別の実施形態に係る通信方法の概略フローチャートである。
【００９０】
【図８】本願の別の実施形態に係る通信方法の概略フローチャートである。
【００９１】
【図９】本願の実施形態に係る端末デバイスの概略ブロック図である。
【００９２】
【図１０】本願の実施形態に係るネットワークデバイスの概略ブロック図である。
【００９３】
【図１１】本願の別の実施形態に係る端末デバイスの概略ブロック図である。
【００９４】
【図１２】本願の別の実施形態に係るネットワークデバイスの概略ブロック図である。
【発明を実施するための形態】
【００９５】
以下では、添付の図面を参照しながら本願の技術的解決策について詳述する。
【００９６】
本発明の実施形態における技術的解決策は、ＮＢ−ＩｏＴ通信に適用されてよいことを理解されたい。ＮＢ−ＩｏＴ通信は、様々な通信システムで搬送されてよい。例えば、本願の実施形態は、グローバルシステム・フォー・モバイルコミュニケーションズ（ｇｌｏｂａｌ  ｓｙｓｔｅｍ  ｏｆ  ｍｏｂｉｌｅ  ｃｏｍｍｕｎｉｃａｔｉｏｎ、ＧＳＭ（登録商標））システム、符号分割多重アクセス（ｃｏｄｅ  ｄｉｖｉｓｉｏｎ  ｍｕｌｔｉｐｌｅ  ａｃｃｅｓｓ、ＣＤＭＡ）システム、広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、無線ローカルエリアネットワーク（ｗｉｒｅｌｅｓｓ  ｌｏｃａｌ  ａｒｅａ  ｎｅｔｗｏｒｋ、ＷＬＡＮ）システム、ワイヤレスフィデリティ（ｗｉｒｅｌｅｓｓ  ｆｉｄｅｌｉｔｙ、Ｗｉ−Ｆｉ）システム、および次世代通信システム、すなわち、新無線（ｎｅｗ  ｒａｄｉｏ、ＮＲ）システムなどの第５世代（５ｔｈ  ｇｅｎｅｒａｔｉｏｎ、５Ｇ）通信システムに適用されてよい。
【００９７】
本願の実施形態では、ネットワークデバイスが、グローバルシステム・フォー・モバイルコミュニケーションズ（ｇｌｏｂａｌ  ｓｙｓｔｅｍ  ｏｆ  ｍｏｂｉｌｅ  ｃｏｍｍｕｎｉｃａｔｉｏｎ、ＧＳＭ）または符号分割多重アクセス（ｃｏｄｅ  ｄｉｖｉｓｉｏｎ  ｍｕｌｔｉｐｌｅ  ａｃｃｅｓｓ、ＣＤＭＡ）におけるベーストランシーバ基地局（ｂａｓｅ  ｔｒａｎｓｃｅｉｖｅｒ  ｓｔａｔｉｏｎ、ＢＴＳ）であってもよいし、広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）におけるノードＢ（ｎｏｄｅＢ、ＮＢ）であってもよいし、ロングタームエボリューション（ｌｏｎｇ  ｔｅｒｍ  ｅｖｏｌｕｔｉｏｎ、ＬＴＥ）における進化型ノードＢ（ｅｖｏｌｕｔｉｏｎａｌ  ｎｏｄｅ  Ｂ、ｅＮＢ／ｅＮｏｄｅＢ）、中継ノード、アクセスポイント、車載デバイス、ウェアラブルデバイス、または、将来の５Ｇネットワークにおけるネットワーク側デバイス、例えば、ＮＲシステムにおける伝送ポイント（ＴＲＰまたはＴＰ）、ＮＲシステムにおける次世代ノードＢ（ｇＮＢ）、または、５ＧシステムにおけるｇＮＢの１つのアンテナパネルもしくは一群のアンテナパネル（複数のアンテナパネルを含む）であってもよい。これは本願の実施形態において特に限定されない。
【００９８】
本願の実施形態では、端末デバイスがユーザ機器（ｕｓｅｒ  ｅｑｕｉｐｍｅｎｔ、ＵＥ）、アクセス端末、加入者ユニット、加入者局、移動局、モバイルコンソール、遠隔局、遠隔端末、モバイルデバイス、ユーザ端末、端末、無線通信デバイス、ユーザエージェント、またはユーザ装置としてみなされてもよい。アクセス端末は、携帯電話、コードレス電話機、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、パーソナルデジタルアシスタント（ｐｅｒｓｏｎａｌ  ｄｉｇｉｔａｌ  ａｓｓｉｓｔａｎｔ、ＰＤＡ）、無線通信機能を有するハンドヘルドデバイス、コンピューティングデバイス、無線モデムに接続されている別の処理デバイス、車載デバイス、ウェアラブルデバイス、無人航空機デバイス、または、将来の５Ｇネットワークにおける端末デバイスであってよい。端末デバイスは代替的に、スマート水道メータ、スマート電気メータ、プリンタ、またはスマートテレビ受像機などのモノのインターネット端末デバイスであってよい。
【００９９】
図１は、本願の実施形態が適用可能である無線通信システム１００の概略ブロック図である。無線通信システム１００は、ネットワークデバイス１１０と、端末デバイス１２０、１３０、および１４０などの少なくとも１つの端末デバイスとを含んでよい。少なくとも１つの端末デバイスは、上記の端末デバイスの何れか１つを含んでよい。例えば、端末デバイス１２０はユーザ機器であり、端末デバイス１３０は車載デバイスであり、端末デバイス１４０はプリンタである。少なくとも１つの端末デバイスは、セルラネットワークを通じてネットワークデバイス１１０と通信してよい。少なくとも１つの端末デバイスに対応する様々なネットワークデバイスが、様々な地理的位置、例えば、道路、地下、および公園に配置されてよい。故に、ネットワークデバイスと通信するために様々な端末デバイスにより使用されるチャネル状態は全く同じでわけではない。
【０１００】
通信の信頼性を確保し、ネットワークデバイスの伝送電力を削減するには、様々なチャネル状態の端末デバイスを区別して、ネットワークデバイスがスケジューリングを実行する手助けをする必要がある。このことを考慮して、ＮＢ‐ＩｏＴシステムに「カバレッジレベル」という概念が導入されている。同じカバレッジレベルにおける端末デバイスのチャネル伝送状態は類似している。ネットワークデバイスはこのようなユーザに対して同様のスケジューリングパラメータを使用してよく、当該ユーザにより占有される制御シグナリングのオーバヘッドも類似している。
【０１０１】
上記の通り、既存のＮＢ‐ＩｏＴシステムでは、端末デバイスがカバレッジレベル０でアクセスの実行に失敗した場合、端末デバイスはランダムアクセスのためにカバレッジレベル１に切り替わる。既存のプロトコルによれば、端末デバイスは、最大電力を使用することによりＮＰＲＡＣＨを通じてプリアンブルを送信する必要がある。この場合は、端末デバイスは実際に依然としてカバレッジレベル０にあり、基地局に比較的近い。故に、最大電力を使用することによりＮＰＲＡＣＨを通じてプリアンブルが送信される場合は、ネットワークデバイスの受信機のノイズフロアが増し、別のより高いカバレッジレベルにおける端末デバイスのＲＡＣＨアクセスに影響する。この問題を考慮して、本願の実施形態は通信方法を提供する。カバレッジレベル１およびカバレッジレベル２において、端末デバイスは電力上昇方式でランダムアクセスプリアンブルを送信することもでき、最大電力を使用することによりプリアンブルを直接送信するという従来技術の解決策は使われない。このように、本願のこの実施形態は、端末デバイスがカバレッジレベル０からカバレッジレベル１に切り替わるときに過度に高い伝送電力により生じる問題を解決することができ、これにより、別の端末デバイスへの影響が減る。
【０１０２】
理解および説明しやすくするために、限定ではなく例として、以下では、本願の通信方法での通信システムにおける実行プロセスおよび動作について説明する。
【０１０３】
本明細書における通信方法を理解しやすくするために、端末が本願のこの実施形態におけるサービスアクセス手順を完全に実行することについてまずは説明する。
【０１０４】
まず、端末デバイスが狭帯域一次同期信号（ｎａｒｒｏｗｂａｎｄ  ｐｒｉｍａｒｙ  ｓｙｎｃｈｒｏｎｉｚａｔｉｏｎ  ｓｉｇｎａｌ、ＮＰＳＳ）および狭帯域二次同期信号（ｎａｒｒｏｗｂａｎｄ  ｓｅｃｏｎｄａｒｙ  ｓｙｎｃｈｒｏｎｉｚａｔｉｏｎ  ｓｉｇｎａｌ、ＮＳＳＳ）を検出して、セルＩＤ情報を取得し、フレーム同期またはシンボル同期などのダウンリンク同期を完了してよい。次いで、端末デバイスはシステムメッセージを取得し、システムメッセージは、カバレッジレベルを決定するために端末デバイスにより使用される基準信号受信電力閾値を含んでよい。その後、端末デバイスは現在のカバレッジレベルを決定し、現在のカバレッジレベルに対応する繰り返し回数およびリソースを使用することによりＮＰＲＡＣＨを通じてプリアンブルを送信して、ランダムアクセスを実行する。ランダムアクセスの後、端末デバイスは、データ伝送のためにアップリンクスケジューリングを実行するよう要求してよい。
【０１０５】
本願のこの実施形態では、ランダムアクセス手順でなされる改善、および、データ伝送プロセスでなされる改善について主に説明する。
【０１０６】
本願の解決策を更に理解しやすくするために、以下ではまず、本願のこの実施形態におけるＮＢ‐ＩｏＴシステムでのランダムアクセス手順について簡単に説明する。具体的に言うと、図２に示すランダムアクセス手順２００が以下の段階を含む。
【０１０７】
２１０：端末デバイスがシステムメッセージを受信する。
【０１０８】
システムメッセージは様々なセルレベルのパラメータを含んでよく、カバレッジレベル閾値を更に含んでよい。システムメッセージは、各カバレッジレベルに対応するＮＰＲＡＣＨリソースの指示情報などを更に含む。例えば、ＮＰＲＡＣＨリソースは、時間ドメインリソース、周波数ドメインリソース、または時間周波数リソースであってよい。
【０１０９】
２２０：端末デバイスは、ＮＰＲＡＣＨリソースを使用することによりプリアンブルを送信する。
【０１１０】
例えば、端末デバイスはまず、現在のカバレッジレベルを決定し、次いで、当該カバレッジレベルに対応するＮＰＲＡＣＨリソースでプリアンブルを送信してよい。
【０１１１】
２３０：ネットワークデバイスが、ＮＰＤＣＣＨリソースを使用することにより、端末デバイスにランダムアクセス応答ＲＡＲを送信する。
【０１１２】
２４０：端末デバイスは、狭帯域物理アップリンク共有チャネル（ｎａｒｒｏｗｂａｎｄ  ｐｈｙｓｉｃａｌ  ｕｐｌｉｎｋ  ｓｈａｒｅｄ  ｃｈａｎｎｅｌ、ＮＰＵＳＣＨ）リソースを使用することにより、ネットワークデバイスにメッセージ３を送信する。
【０１１３】
２５０：ネットワークデバイスは、狭帯域物理ダウンリンク共有チャネル（ｎａｒｒｏｗｂａｎｄ  ｐｈｙｓｉｃａｌ  ｕｐｌｉｎｋ  ｄｏｗｎｌｉｎｋ  ｃｈａｎｎｅｌ、ＮＰＤＳＣＨ）リソースを使用することにより、端末デバイスにメッセージ４を送信する。
【０１１４】
これまでは、端末デバイスがメッセージ４を受信した後、それはランダムアクセスが成功したことを示し、端末デバイスは、ネットワークデバイスにデータスケジューリング要求などを送信することができる。
【０１１５】
以上では、本願のこの実施形態におけるランダムアクセス手順のみについて簡単に説明した。具体的に言うと、各プロセスにおける各メッセージの内容については、関連する規格の説明を参照されたい。本願のこの実施形態では詳細について説明しない。
【０１１６】
以下の本願の実施形態では、段階２１０から段階２５０のうちの１つまたは複数の改善、または、段階２５０の後のデータ伝送の改善がなされる。以下では特に説明を別個に提供する。以下の実施形態では改善される段階について詳述し、従来技術と同様の段階の詳細については適切に省略することを理解されたい。
【０１１７】
以下では、添付の図面を参照しながら本願の実施形態における通信方法について詳述する。
【０１１８】
本願の実施形態における通信方法でネットワークデバイスと端末デバイスとの間で伝送されるデータは、以下に限定されるわけではないが、システムメッセージ、ブロードキャストメッセージ、制御シグナリング、制御チャネル上のシグナリング、および、データチャネル上のデータといった内容を含んでよいことを理解されたい。
【０１１９】
なお、本明細書における幾つかの名称および英語の略語は、ＮＢ‐ＩｏＴシステムを例として使用することにより本願の実施形態を説明するために使用されている。ただし、本願の実施形態はこれに限定されない。名称および英語の略語は、ネットワークの進化に伴って変化することがある。具体的な進化については、対応する規格の説明を参照されたい。
【０１２０】
図３は、本願の実施形態に係る通信方法の概略フローチャートである。図３に示す通り、方法３００は以下の段階を含む。
【０１２１】
３１０：端末デバイスが現在のカバレッジレベルを決定する。
【０１２２】
具体的に言うと、端末デバイスは少なくとも２つのカバレッジレベルから現在のカバレッジレベルを決定してよく、少なくとも２つのカバレッジレベルの各々は電力上昇ステップ（ｐｏｗｅｒ  ｒａｍｐｉｎｇ  ｓｔｅｐ）に対応する。
【０１２３】
端末デバイスが現在のカバレッジレベルでプリアンブルの送信に失敗した後に当該プリアンブルを再送信するとき、電力上昇ステップは電力増加振幅を示すことを理解されたい。電力上昇ステップは、電力増加ステップとしてみなされてもよい。本願のこの実施形態はこれに限定されない。
【０１２４】
本願のこの実施形態では、端末デバイスがプリアンブルを送信した後、ＲＡＲが受信されない場合は送信が失敗したことを示す、または、端末デバイスがＲＡＲを受信したが、送信されたプリアンブルをＲＡＲが含まないときも、送信が失敗したことを示すことを理解されたい。
【０１２５】
本願のこの実施形態では、少なくとも２つのカバレッジレベルに対応する少なくとも２つの電力上昇ステップが互いに等しくなくてもよいし、少なくとも２つのカバレッジレベルに対応する少なくとも２つの電力上昇ステップの一部または全てが互いに等しくてもよい。これは本願のこの実施形態において限定されない。
【０１２６】
本願のこの実施形態における少なくとも２つのカバレッジレベルは、２つ、３つ、４つ、５つ、またはそれより多くのカバレッジレベルを意味することがあることを理解されたい。本明細書の説明には、主に３つのカバレッジレベル、すなわち、カバレッジレベル０、１、および２が例として使用されている。ただし、これは本願のこの実施形態において限定されない。実際の適用では、カバレッジレベルの数が実際の状況に応じて決定されてよい。
【０１２７】
例えば、ネットワークデバイスが端末デバイスに基準信号を送信し、端末デバイスは、基準信号受信電力（ＲＳＲＰ）に基づいて少なくとも２つのカバレッジレベルから現在のカバレッジレベルを決定してよい。
【０１２８】
具体的に言うと、端末デバイスはシステムメッセージに基づいて基準信号受信電力の閾値を取得してよい、または、基準信号受信電力の閾値は予め設定される。これは本願のこの実施形態において限定されない。例えば、基準信号受信電力の閾値は、２つの閾値、すなわち、電力閾値１および電力閾値２を含んでよく、電力閾値１は電力閾値２より小さい。端末デバイスは、ＲＳＲＰ値を２つの電力閾値と比較して、現在のカバレッジレベルを決定する。例えば、ＲＳＲＰ値が電力閾値１より小さいとき、現在のカバレッジレベルがカバレッジレベル２であると判定されるか、ＲＳＲＰ値が電力閾値２より大きいとき、現在のカバレッジレベルがカバレッジレベル０であると判定されるか、または、ＲＳＲＰ値が電力閾値１と電力閾値２との間にあるとき、現在のカバレッジレベルがカバレッジレベル１であると判定される。
【０１２９】
オプションとして、端末デバイスは代替的に、基準信号受信性能に基づいて少なくとも２つのカバレッジレベルから現在のカバレッジレベルを決定してよい。
【０１３０】
基準信号受信性能は、基準信号の信号対雑音比（Ｓｉｇｎａｌ  Ｎｏｉｓｅ  Ｒａｔｉｏ、ＳＮＲ）、または、基準信号受信品質（ｒｅｆｅｒｅｎｃｅ  ｓｉｇｎａｌ  ｒｅｃｅｉｖｅｄ  ｑｕａｌｉｔｙ、ＲＳＲＰ）を含んでよい。例えば、端末デバイスは、現在の受信性能を受信性能閾値と比較して現在のカバレッジレベルを決定してよい。基準信号受信性能がＳＮＲであるとき、受信性能閾値はＳＮＲ閾値である、または、基準信号受信性能がＲＳＲＰであるとき、受信性能閾値はＲＳＲＰ閾値であることを理解されたい。受信性能閾値はシステムメッセージに保持されてもよいし、システムにより予め設定されてもよい。本願のこの実施形態はこれに限定されない。例えば、基準信号受信性能閾値は、２つの閾値、すなわち、性能閾値１および性能閾値２を含んでよく、性能閾値１は性能閾値２より小さい。端末デバイスは、基準信号受信性能の値をこれら２つの性能閾値と比較して、現在のカバレッジレベルを決定する。例えば、受信性能の値が性能閾値１より小さいとき、現在のカバレッジレベルがカバレッジレベル２であると判定されるか、受信性能の値が性能閾値２より大きいとき、現在のカバレッジレベルがカバレッジレベル０であると判定されるか、または、受信性能の値が性能閾値１と性能閾値２との間にあるとき、現在のカバレッジレベルがカバレッジレベル１であると判定される。
【０１３１】
オプションとして、端末デバイスは代替的に、基準信号受信電力および基準信号受信性能に基づいてカバレッジレベルを決定してよい。
【０１３２】
具体的に言うと、端末デバイスは基準信号受信電力に基づいて初期のカバレッジレベルを決定し、初期のカバレッジレベルが基準信号受信性能と一致しないとき、端末デバイスは、基準信号受信性能に対応するカバレッジレベルを現在のカバレッジレベルとして決定する。
【０１３３】
本願のこの実施形態における各カバレッジレベルは、基準信号受信性能範囲に対応してよいことを理解されたい。端末デバイスはまず、基準信号受信電力に基づいて初期のカバレッジレベルを決定してよい。初期のカバレッジレベルが基準信号受信性能と一致するとき、すなわち、基準信号受信性能が、初期のカバレッジレベルに対応する基準信号受信性能範囲に含まれるとき、端末デバイスは、初期のカバレッジレベルを現在のカバレッジレベルとして決定する。初期のカバレッジレベルが基準信号受信性能と一致しないとき、すなわち、基準信号受信性能が、初期のカバレッジレベルに対応する基準信号受信性能範囲を超えているとき、端末デバイスは、基準信号受信性能に対応するカバレッジレベルを現在のカバレッジレベルとして決定する。
【０１３４】
例えば、端末デバイスにより最初に測定されたＲＳＲＰがカバレッジレベルＮにあるが、測定で取得されたＳＮＲが望ましくなく、現在のカバレッジレベルにおけるＳＮＲより低い場合は、端末デバイスは、基準信号受信性能に対応するカバレッジレベルＮ＋１またはカバレッジレベルＮ＋２でプリアンブルを直接送信する。
【０１３５】
例えば、基準信号受信電力がカバレッジレベルＮに対応し、かつ、基準信号受信性能がカバレッジレベルＮ＋１に対応するとき、端末デバイスは、現在のカバレッジレベルがカバレッジレベルＮ＋１であると判定する、または、基準信号受信電力がカバレッジレベルＮに対応し、かつ、基準信号受信性能がカバレッジレベルＮ＋２に対応するとき、端末デバイスは、現在のカバレッジレベルがカバレッジレベルＮ＋２であると判定する。
【０１３６】
具体的に言うと、従来技術では、端末デバイスが基準信号受信電力のみに基づいてカバレッジレベルを決定する。ただし、基準信号受信電力が比較的高いが、基準信号受信性能は比較的低いかもしれないといった場合がある。カバレッジレベルが基準信号受信電力のみに基づいて決定される場合は、現在のチャネル状況をうまく反映することができない。故に、本願のこの実施形態では、端末デバイスが基準信号受信性能に基づいて現在のカバレッジレベルを決定し得ることから、現在のカバレッジレベルを柔軟かつ正確に決定することができ、ネットワーク性能が高まる。
【０１３７】
本願のこの実施形態では、カバレッジレベル０の次のカバレッジレベルがカバレッジレベル１であり、カバレッジレベル１の次のカバレッジレベルがカバレッジレベル２である、といった具合であることを理解されたい。カバレッジレベル０は最高のチャネル品質を示す。カバレッジレベルが増すにつれて、チャネル品質が次第に低下する。
【０１３８】
本願のこの実施形態では、各カバレッジレベルは繰り返し回数に対応してよいことを理解されたい。繰り返し回数は、端末デバイスによるプリアンブルの送信の繰り返し回数を示す。すなわち、繰り返し回数は、端末デバイスがプリアンブルを送信するときに当該プリアンブルが繰り返される回数を示す。例えば、プリアンブルがＡであると仮定すると、現在のカバレッジレベルに対応する繰り返し回数が５であるとき、端末デバイスが現在のカバレッジレベルでプリアンブルを送信するたびに、端末デバイスはＡＡＡＡＡという内容を送信する。
【０１３９】
３２０：端末デバイスはプリアンブルを送信する。
【０１４０】
例えば、端末デバイスは、現在のカバレッジレベルに対応する現在の電力上昇ステップに基づいて、電力上昇方式でネットワークデバイスにランダムアクセスプリアンブルを送信する。
【０１４１】
故に、本願のこの実施形態では、端末デバイスは、電力上昇方式で決定される電力を使用することにより現在のレベルでプリアンブルを送信し、最大電力を使用することによりプリアンブルを直接送信するという従来技術方式は使われない。これによって、別の端末デバイスへの影響を減らすことができる。
【０１４２】
具体的に言うと、前回プリアンブルの送信に失敗したとき、端末デバイスは、現在のカバレッジレベルに対応する現在の電力上昇ステップによりプリアンブルの伝送電力を増やして新しい電力を取得し、当該新しい電力を使用することによりプリアンブルを再送信する。
【０１４３】
端末デバイスが電力上昇方式でプリアンブルを送信することは、端末デバイスが電力増加方式でプリアンブルを送信することとみなされてもよいことを理解されたい。本願のこの実施形態はこれに限定されない。
【０１４４】
例えば、端末デバイスが現在のカバレッジレベルで初めてプリアンブルを送信するとき、端末デバイスは、初回の電力を使用することによりプリアンブルを送信する。
【０１４５】
本願のこの実施形態では、プリアンブルを１回送信することは、現在のカバレッジレベルに対応する繰り返し回数に基づいて当該プリアンブルを送信することを示すことを理解されたい。
【０１４６】
初めての送信が失敗したとき、端末デバイスは、電力上昇ステップにより初回の電力を増やした後にプリアンブルを再送信する。他の場合は上述と類似している。オプションとして、実際の適用において、段階３２０では、端末デバイスは、プリアンブルのターゲット受信電力と、端末デバイスとネットワークデバイスとの間のパス損失とに基づいて、プリアンブルの伝送電力を決定してよく、プリアンブルのターゲット受信電力は、現在の電力上昇ステップと、端末デバイスによるプリアンブルの現在の送信回数とに関連する。
【０１４７】
現在の送信回数は、端末デバイスがプリアンブルを送信した回数を示してよいことを理解されたい。例えば、送信される現在のプリアンブルが、端末デバイスがプリアンブルの送信にＺ回失敗した後に再送信される場合は、現在の送信回数はＺ＋１に等しく、端末デバイスがプリアンブルを（Ｚ＋１）回目に送信していることを示す。
【０１４８】
オプションとして、プリアンブルの伝送電力は、ＰＮＰＲＡＣＨ＝ｍｉｎ｛ＰＣＭＡＸ，ＰＴＡＲＧＥＴ＋ＰＬ｝［ｄＢｍ］という式であって、ＰＮＰＲＡＣＨはプリアンブルの伝送電力を表し、ＰＣＭＡＸは端末デバイスの最大伝送電力を表し、ＰＴＡＲＧＥＴはプリアンブルのターゲット受信電力を表し、ＰＬはパス損失を表し、ＰＴＡＲＧＥＴ＝ＰＰ＋（Ｍ−１）ＰＳであり、ＰＰはプリアンブルの初期のターゲット受信電力を表し、Ｍは現在の送信回数を表し、ＰＳは現在の電力上昇ステップを表す、式、または、ＰＴＡＲＧＥＴ＝ＰＰ＋（Ｍ−１）ＰＳ−１０×ｌｏｇ１０Ｎｒという式であって、Ｎｒは、プリアンブルの送信の繰り返し回数である、式に従って、端末デバイスにより決定される。
【０１４９】
本願のこの実施形態では、ＰＣＭＡＸは、プロトコル内のパラメータ
【数２】
2020524948.tif 000004
であり、ＮＢ−ＩｏＴアップリンクスロットｉ内のサービングセルｃにある端末デバイスの最大伝送電力を示し、ＰＴＡＲＧＥＴは、プロトコル内のパラメータＮＡＲＲＯＷＢＡＮＤ＿ＰＲＥＡＭＢＬＥ＿ＲＥＣＥＩＶＥＤ＿ＴＡＲＧＥＴ＿ＰＯＷＥＲであるか、または、ＰＴＡＲＧＥＴは、プロトコル内のパラメータＰＲＥＡＭＢＬＥ＿ＲＥＣＥＩＶＥＤ＿ＴＡＲＧＥＴ＿ＰＯＷＥＲであり、ＰＬは、プロトコル内のパラメータＰＬｃであり、ダウンリンクパス損失を示し、ＰＰは、プロトコル内のパラメータｐｒｅａｍｂｌｅＩｎｉｔｉａｌＲｅｃｅｉｖｅｄＴａｒｇｅｔＰｏｗｅｒであり、Ｍは、プロトコル内のパラメータＰＲＥＡＭＢＬＥ＿ＴＲＡＮＳＭＩＳＳＩＯＮ＿ＣＯＵＮＴＥＲであり、Ｎｒは、プロトコル内のパラメータｎｕｍＲｅｐｅｔｉｔｉｏｎＰｅｒＰｒｅａｍｂｌｅＡｔｔｅｍｐｔであることを理解されたい。
【０１５０】
上述の式は、単に伝送電力を決定する特定の形態であり、上述の式に基づいて適宜変更が実行されてよいことを理解されたい。本願のこの実施形態はこれに限定されない。
【０１５１】
オプションとして、別の実施形態では、現在のカバレッジレベルでの端末デバイスによるプリアンブルの送信回数が第１閾値より大きいとき、端末デバイスは、現在のカバレッジレベルの次のカバレッジレベルでネットワークデバイスにプリアンブルを送信し、第１閾値は、規格で定義されている現在のカバレッジレベルでのプリアンブルの最大伝送回数（ｍａｘｉｍｕｍ  ｎｕｍｂｅｒ  ｏｆ  ｐｒｅａｍｂｌｅ  ｔｒａｎｓｍｉｓｓｉｏｎ  ａｔｔｅｍｐｔｓ  ｐｅｒ  ｅｎｈａｎｃｅｄ  ｃｏｖｅｒａｇｅ  ｌｅｖｅｌ、ｍａｘＮｕｍＰｒｅａｍｂｌｅＡｔｔｅｍｐｔＣＥ）より小さい。
【０１５２】
具体的に言うと、カバレッジレベルＮで第１閾値に等しい回数だけ何度も試みた後に依然として端末デバイスが失敗した場合は、端末デバイスは、カバレッジレベルＮ＋１でプリアンブルを直接送信する。
【０１５３】
具体的に言うと、既存の解決策では、現在のカバレッジレベルでのプリアンブルの送信回数が、現在のカバレッジレベルでのプリアンブルの最大伝送回数より多くなった後に初めて、端末デバイスは、次のカバレッジレベルに切り替わってプリアンブルを送信する。
【０１５４】
これに対して、本願のこの実施形態では、現在のカバレッジレベルでのプリアンブルの送信回数が第１閾値より大きいとき、カバレッジレベルの切り替えが実行されてよい。第１閾値はプリアンブルの最大伝送回数より小さいので、現在のチャネル品質が比較的低いとき、現在のカバレッジレベルにおける不必要な失敗の数を減らすことができる。これによって、リソースの無駄が減り、ネットワーク性能が高まる。
【０１５５】
本願のこの実施形態では、次のカバレッジレベルへの切り替えが実行された後、プリアンブルは、次のカバレッジレベルに対応するリソース、次のカバレッジレベルに対応する繰り返し回数、または、次のカバレッジレベルに対応する電力を使用することにより送信されてよいことを理解されたい。
【０１５６】
例えば、カバレッジレベルＮからカバレッジレベルＮ＋１に切り替わった後、端末デバイスは、カバレッジレベルＮ＋１に対応するリソースおよび電力を使用することによりプリアンブルを送信してよい。
【０１５７】
オプションとして、カバレッジレベルＮ＋１に切り替わった後、端末デバイスは、最大電力を使用することによりプリアンブルを送信してよい。
【０１５８】
オプションとして、次のレベルに切り替わった後、端末デバイスは代替的に、電力上昇方式で次のレベルでプリアンブルを送信してよい。
【０１５９】
具体的に言うと、カバレッジレベルＮ＋１に切り替わり、電力上昇方式でプリアンブルを送信する方式は、上昇方式でカバレッジレベルＮでプリアンブルを送信することと同様であってよく、カバレッジレベルＮ＋１に対応する繰り返し回数が、カバレッジレベルＮに対応する繰り返し回数より多いという点で違いがある。繰り返しを避けるべく、詳細についてはここで改めて説明しない。
【０１６０】
オプションとして、別の実施形態では、端末デバイスが現在のカバレッジレベルから次のレベルに切り替わった後、端末デバイスは、次のカバレッジレベルに対応する繰り返し回数と、現在のカバレッジレベルに対応する現在の電力上昇ステップとを使用することにより、電力上昇方式でプリアンブルを送信する。
【０１６１】
具体的に言うと、端末デバイスがランダムアクセスのためにカバレッジレベルの切り替えを実行したとき、例えば、カバレッジレベルＮからカバレッジレベルＮ＋１（Ｎ＝０またはＮ＝１）に切り替わったとき、端末デバイスは依然として前の電力制御方式（すなわち、カバレッジレベルＮでの電力制御方式）でプリアンブルを送信するが、カバレッジレベルＮ＋１での繰り返し回数を使用することによりプリアンブルを送信する。
【０１６２】
故に、本願のこの実施形態では、レベルの切り替え中、端末デバイスは依然として、電力上昇方式で決定される電力を使用することによりプリアンブルを送信し、最大電力を使用することによりプリアンブルを直接送信するという従来技術方式は使われない。これによって、別の端末デバイスへの影響を減らすことができる。加えて、レベルの切り替え後、伝送電力は前の電力制御方式で決定されるが、次のカバレッジレベルに対応する繰り返し回数に基づいてプリアンブルが送信されることから、各伝送におけるプリアンブルの繰り返し回数を増やすことができ、これにより、アクセス成功確率が高まる。
【０１６３】
段階３２０の後、端末デバイスおよびネットワークデバイスは、既存の方式でその後のランダムアクセス手順を実行してよい。
【０１６４】
オプションとして、別の実施形態では、図４に示す通り、段階３２０の後、本願のこの実施形態における方法４００が以下の段階を更に含んでよい。
【０１６５】
３３０：端末デバイスは、ネットワークデバイスにより送信された指示情報を受信する。
【０１６６】
具体的に言うと、指示情報は、端末デバイスによるアップリンク情報の送信の繰り返し回数を示すために使用される。アップリンク情報の送信の繰り返し回数は、端末デバイスが毎回アップリンク情報を送信するときにアップリンク情報が繰り返される回数であってよい。具体的に言うと、毎回送信される内容はアップリンク情報の繰り返しであり、Ｎ回にわたって繰り返される。
【０１６７】
ネットワークデバイスは、ランダムアクセス手順でＲＡＲに指示情報を追加してよいことを理解されたい。これに対応して、アップリンク情報はメッセージ３である。
【０１６８】
代替的に、ネットワークデバイスは、ランダムアクセスが完了した後に取得されるアップリンクグラント（ｕｐｌｉｎｋ  ｇｒａｎｔ、ＵＬ  ｇｒａｎｔ）に指示情報を追加してよい。これに対応して、アップリンク情報はアップリンクデータであってよい。
【０１６９】
３４０：端末デバイスはアップリンク情報を送信する。
【０１７０】
具体的に言うと、繰り返し回数が第２閾値より大きいと端末デバイスが判定したとき、端末デバイスは、最大伝送電力を使用することによりアップリンク情報を送信する、または、繰り返し回数が第２閾値より小さいか等しいと端末デバイスが判定したとき、端末デバイスは、第１電力を使用することによりアップリンク情報を送信し、第１電力は、パス損失、パス損失補償係数、または伝送帯域幅のうちの少なくとも１つに基づいて、端末デバイスにより決定される。
【０１７１】
段階３３０に対応して、アップリンク情報はメッセージ３であってもよいし、アップリンクデータであってもよい。
【０１７２】
本願のこの実施形態では、第２閾値は予め設定されてもよいし、ＲＡＲにより示されてもよいし、システムメッセージを使用することにより構成されてもよいし、アップリンクグラントメッセージにより示されてもよいことを理解されたい。本願のこの実施形態はこれに限定されない。
【０１７３】
本願のこの実施形態における第２閾値は、２より大きな整数であってよいことを理解されたい。
【０１７４】
具体的に言うと、端末デバイスがカバレッジレベルＮからカバレッジレベルＮ＋１に切り替わってプリアンブルを送信するとき、ＲＡＲを受信した後、端末デバイスは、当該ＲＡＲの指示に基づいてメッセージ３を送信してよい。ネットワークデバイスがカバレッジレベルＮ＋１に対応するリソースでプリアンブルを受信したので、ネットワークデバイスは、端末デバイスが現時点でカバレッジレベルＮ＋１にあるとみなし、メッセージ３の、構成された繰り返し回数は比較的大きいかもしれず、例えば、２より大きい。この場合は、既存の規格の規定に従って、繰り返し回数が２より大きいとき、端末デバイスは、最大電力を使用することによりメッセージ３を送信する。ただし、端末デバイスはネットワークデバイスに比較的近いかもしれず、最大電力を使用することによりメッセージ３が送信される場合は、ネットワークデバイスのノイズフロアが増し、別の端末デバイスへの干渉が生じ、ネットワーク性能に影響する。これに対して、本願のこの実施形態では、指定された第２閾値が２より大きいので、メッセージ３のためにネットワークデバイスによって構成される繰り返し回数が２より大きい場合でも、当該繰り返し回数が第２閾値より小さい限り、端末デバイスは、最大電力の代わりに例えば第１電力を使用することによってメッセージ３を送信してよく、その結果、ネットワークデバイスのノイズフロアが減り、かつ、別の端末デバイスへの影響が減ることにより、ネットワーク性能が高まる。
【０１７５】
第１電力を決定するための方法については、既存の規格におけるメッセージ３の繰り返し回数が１であるときに、メッセージ３を送信するための電力を決定する方法について参照されたい。詳細についてはここで説明しない。
【０１７６】
代替的に、別の実施形態では、図５に示す通り、段階３２０の後、本願のこの実施形態における方法５００が以下の段階を更に含んでよい。
【０１７７】
３５０：端末デバイスは、ネットワークデバイスにより送信されたＲＡＲを受信する。
【０１７８】
オプションとして、ＲＡＲメッセージは構成情報を含んでよく、構成情報は端末デバイスによりネットワークデバイスに送信されるダウンリンクチャネルの品質指示情報を示し、ダウンリンクチャネルの品質指示情報は、ダウンリンクチャネルの品質を示すために使用される。
【０１７９】
オプションとして、別の実施形態では、構成情報はＲＡＲに保持されないことがあり、例えば、システムメッセージに保持されてよい。代替的に、端末デバイスがダウンリンクチャネルの品質指示情報をフィードバックするようにシステムで予め構成される。
【０１８０】
３６０：端末デバイスは、ネットワークデバイスにメッセージ３を送信する。
【０１８１】
メッセージ３はダウンリンクチャネルの品質指示情報を保持する。
【０１８２】
これに対応して、ネットワークデバイスはメッセージ３を受信し、ダウンリンクチャネルの品質指示情報を取得する。次いで、ネットワークデバイスは、ダウンリンクチャネルの品質に基づいて、メッセージ４の送信の最大繰り返し回数、および／または、端末デバイスのＵＳＳの最大（Ｒｍａｘ）値を決定してよい。ＵＳＳの最大値は、端末デバイスのＵＥ固有検索空間におけるＮＰＤＣＣＨの最大繰り返し回数を示す。
【０１８３】
ダウンリンクチャネルの品質指示情報は、基準信号受信品質（ＲＳＲＱ）、または、端末デバイスによるＲＡＲ復調中のＮＰＤＣＣＨの繰り返し回数を含んでよい。
【０１８４】
具体的に言うと、ネットワークデバイスがダウンリンクチャネルの品質指示情報を受信するとき、ネットワークデバイスは、ダウンリンクチャネルの品質に基づいて、メッセージ４の送信の最大繰り返し回数を適切に選択することができる。加えて、ＲＲＣ接続確立プロセスでは、ネットワークデバイスは、ダウンリンクチャネルの品質に基づいてＵＳＳの最大値を適切に構成する。
【０１８５】
具体的に言うと、現在ＮＢ‐ＩｏＴでは、端末デバイスがダウンリンクＲＳＲＰ測定値を、ネットワークデバイスにより予め構成されたＲＳＲＰ閾値と比較した後に、特定のカバレッジレベルが決定される。ＲＳＲＰ閾値は、ネットワークデバイスがアップリンクＰＲＡＣＨ上のプリアンブルの受信性能をできる限り確保することを考慮して設定される。ただし、実際のネットワーク展開では、ネットワークデバイスのアップリンク受信干渉レベルとダウンリンク端末の干渉レベルとの間に違いがある。加えて、同じＲＳＲＰを有する端末の特定の位置は異なるので、端末のダウンリンク受信ＳＮＲ間にも大きな違いがあるかもしれない。故に、ネットワークデバイス、すなわち、基地局は通常、アップリンクＰＲＡＣＨの受信性能に基づいて、カバレッジレベルを決定するために使用されるＲＳＲＰ閾値を設定する。ＲＳＲＰ閾値に基づいて選択されるカバレッジレベルはアップリンク受信状況を比較的正確に反映するが、端末のダウンリンクＳＮＲを反映するのは極めて難しい。この場合は、ネットワークデバイス、すなわち、基地局は実際に、端末のダウンリンクカバレッジ状況を正確に把握することができず、ＮＰＤＣＣＨ検索空間の比較的控えめな最大繰り返し回数を構成するか、ダウンリンクデータを比較的控えめにスケジューリングすることしかできない。その結果、検索空間の指定された繰り返し回数は過度に多い、または、ダウンリンクデータの繰り返し回数は比較的多い。これによって、端末の電力消費が比較的高くなり、システムリソースが無駄になることにより、ネットワーク性能に影響する。
【０１８６】
これに対して、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＳＳの最大値を適切に決定することができる。これによって、既存の問題が解決し、かつ、端末デバイスの過剰な電力消費およびシステムリソースの無駄が回避されることにより、ネットワーク性能が高まる。
【０１８７】
以上では、図３から図５を参照しながら、電力上昇方式で端末デバイスにより実行される通信方法について説明した。
【０１８８】
図６は、本願の実施形態に係る通信方法の概略フローチャートである。図６の方法では、ネットワークデバイスがダウンリンク伝送を適切に実行するように、図２の既存の解決策に基づいて、端末デバイスがダウンリンクチャネルの品質を報告するという解決策が追加され得る。具体的に言うと、図６に示す方法６００は以下の段階を含む。
【０１８９】
６１０：端末デバイスはネットワークデバイスにプリアンブルを送信する。
【０１９０】
具体的に言うと、端末デバイスは、既存の方式または段階３２０の方式でプリアンブルを送信してよい。繰り返しを避けるべく、詳細についてはここで改めて説明しない。
【０１９１】
６２０：端末デバイスは、ネットワークデバイスにより送信されたＲＡＲを受信する。
【０１９２】
オプションとして、段階６２０は段階３５０に対応する。繰り返しを避けるべく、詳細についてはここで改めて説明しない。
【０１９３】
６３０：端末デバイスはネットワークデバイスにメッセージ３を送信する。
【０１９４】
オプションとして、段階６３０は段階３６０に対応する。繰り返しを避けるべく、詳細についてはここで改めて説明しない。
【０１９５】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＳＳの最大値を適切に決定することができる。これによって、既存の問題が解決し、かつ、端末デバイスの過剰な電力消費およびシステムリソースの無駄が回避されることにより、ネットワーク性能が高まる。
【０１９６】
図７は、本願の実施形態に係る通信方法の概略フローチャートである。図７の方法では、現在のカバレッジレベルを決定するという解決策が、既存の解決策に基づいて改善され得る。具体的に言うと、図７に示す方法７００は以下の段階を含む。
【０１９７】
７１０：端末デバイスが現在のカバレッジレベルを決定する。
【０１９８】
具体的に言うと、端末デバイスは、基準信号受信性能に基づいて現在のカバレッジレベルを決定する。
【０１９９】
具体的に言うと、オプションとして、端末デバイスは、基準信号受信性能に基づいて少なくとも２つのカバレッジレベルから現在のカバレッジレベルを決定してよい。
【０２００】
基準信号受信性能は、基準信号の信号対雑音比（ＳＮＲ）または基準信号受信品質を含んでよい。例えば、端末デバイスは、現在の受信性能を受信性能閾値と比較して現在のカバレッジレベルを決定してよい。受信性能閾値はシステムメッセージに保持されてもよいし、システムにより予め設定されてもよい。本願のこの実施形態はこれに限定されない。例えば、基準信号受信性能閾値は、２つの閾値、すなわち、性能閾値１および性能閾値２を含んでよく、性能閾値１は性能閾値２より小さい。端末デバイスは、基準信号受信性能の値をこれら２つの性能閾値と比較して、現在のカバレッジレベルを決定する。例えば、受信性能の値が性能閾値１より小さいとき、現在のカバレッジレベルがカバレッジレベル２であると判定されるか、受信性能の値が性能閾値２より大きいとき、現在のカバレッジレベルがカバレッジレベル０であると判定されるか、または、受信性能の値が性能閾値１と性能閾値２との間にあるとき、現在のカバレッジレベルがカバレッジレベル１であると判定される。
【０２０１】
オプションとして、端末デバイスは代替的に、基準信号受信電力および基準信号受信性能に基づいてカバレッジレベルを決定してよい。
【０２０２】
具体的に言うと、端末デバイスは基準信号受信電力に基づいて初期のカバレッジレベルを決定し、初期のカバレッジレベルが基準信号受信性能と一致しないとき、端末デバイスは、基準信号受信性能に対応するカバレッジレベルを現在のカバレッジレベルとして決定する。
【０２０３】
本願のこの実施形態における各カバレッジレベルは、基準信号受信性能範囲に対応してよいことを理解されたい。端末デバイスはまず、基準信号受信電力に基づいて初期のカバレッジレベルを決定してよい。初期のカバレッジレベルが基準信号受信性能と一致するとき、すなわち、基準信号受信性能が、初期のカバレッジレベルに対応する基準信号受信性能範囲に含まれるとき、端末デバイスは、初期のカバレッジレベルを現在のカバレッジレベルとして決定する。初期のカバレッジレベルが基準信号受信性能と一致しないとき、すなわち、基準信号受信性能が、初期のカバレッジレベルに対応する基準信号受信性能範囲を超えているとき、端末デバイスは、基準信号受信性能に対応するカバレッジレベルを現在のカバレッジレベルとして決定する。
【０２０４】
例えば、端末デバイスにより最初に測定されたＲＳＲＰがカバレッジレベルＮにあるが、測定で取得されたＳＮＲが望ましくなく、現在のカバレッジレベルにおけるＳＮＲより低い場合は、端末デバイスは、基準信号受信性能に対応するカバレッジレベルＮ＋１またはカバレッジレベルＮ＋２でプリアンブルを直接送信する。
【０２０５】
例えば、基準信号受信電力がカバレッジレベルＮに対応し、かつ、基準信号受信性能がカバレッジレベルＮ＋１に対応するとき、端末デバイスは、現在のカバレッジレベルがカバレッジレベルＮ＋１であると判定する、または、基準信号受信電力がカバレッジレベルＮに対応し、かつ、基準信号受信性能がカバレッジレベルＮ＋２に対応するとき、端末デバイスは、現在のカバレッジレベルがカバレッジレベルＮ＋２であると判定する。
【０２０６】
本願のこの実施形態では、カバレッジレベル０の次のカバレッジレベルがカバレッジレベル１であり、カバレッジレベル１の次のカバレッジレベルがカバレッジレベル２である、といった具合であることを理解されたい。カバレッジレベル０は最高のチャネル品質を示す。カバレッジレベルが増すにつれて、チャネル品質が次第に低下する。
【０２０７】
具体的に言うと、従来技術では、カバレッジレベルが基準信号受信電力のみに基づいて決定される。この場合は、基準信号受信電力が比較的高いが、基準信号受信性能は比較的低いかもしれない。カバレッジレベルが基準信号受信電力のみに基づいて決定される場合は、端末デバイスの現在のチャネル状況をうまく反映することができない。故に、本願のこの実施形態では、端末デバイスが基準信号受信性能に基づいて現在のカバレッジレベルを決定し得ることから、現在のカバレッジレベルを柔軟かつ正確に決定することができ、ネットワーク性能が高まる。
【０２０８】
７２０：端末デバイスはプリアンブルを送信する。
【０２０９】
オプションとして、段階７２０は段階３２０に対応する。繰り返しを避けるべく、詳細についてはここで改めて説明しない。
【０２１０】
故に、本願のこの実施形態では、端末デバイスが基準信号受信性能に基づいて現在のカバレッジレベルを決定し得ることから、現在のカバレッジレベルを柔軟かつ正確に決定することができ、ネットワーク性能が高まる。
【０２１１】
図８は、本願の実施形態に係る通信方法の概略フローチャートである。図８の方法では、アップリンク情報を送信するという解決策が、既存の解決策に基づいて改善され得る。具体的に言うと、図８に示す方法８００は以下の段階を含む。
【０２１２】
８１０：端末デバイスが、ネットワークデバイスにより送信された指示情報を受信する。
【０２１３】
オプションとして、段階８１０は段階３３０に対応する。繰り返しを避けるべく、詳細についてはここで改めて説明しない。
【０２１４】
８２０：端末デバイスはアップリンク情報を送信する。
【０２１５】
故に、本願のこの実施形態では、指定された第２閾値が２より大きいので、メッセージ３のためにネットワークデバイスによって構成される繰り返し回数が２より大きい場合でも、当該繰り返し回数が第２閾値より小さい限り、端末デバイスは、最大電力の代わりに例えば第１電力を使用することによってメッセージ３を送信してよく、その結果、ネットワークデバイスのノイズフロアが効果的に減り、かつ、別の端末デバイスへの影響が減ることにより、ネットワーク性能が高まる。
【０２１６】
なお、上述の実施形態の各々における通信方法は、ダウンリンクチャネルの品質に対応するカバレッジレベルが現在のカバレッジレベルと一致しないことを端末デバイスが検出したとき、端末デバイスが、ダウンリンクチャネルの品質に対応するカバレッジレベルでランダムアクセス手順を再開する段階を更に含んでよい。具体的に言うと、端末デバイスがランダムアクセス手順を完了した後、すなわち、端末デバイスがネットワークデバイスとのデータ伝送を実行するとき、ダウンリンクチャネルの品質に対応するカバレッジレベルが現在のカバレッジレベルと一致しないことを端末デバイスが検出した場合は、端末デバイスは、ダウンリンクチャネルの品質に対応するカバレッジレベルに基づいてランダムアクセス手順を再開し、次いで、再開されたランダムアクセス手順が完了した後にデータ伝送を実行する。
【０２１７】
特定の再開されたランダムアクセス手順については、上述の実施形態の説明を参照してよいことを理解されたい。詳細についてはここで改めて説明しない。
【０２１８】
例えば、ダウンリンクチャネルの品質が低下したことから当該ダウンリンクチャネルの品質がカバレッジレベルと一致しないとき、元のカバレッジレベルに対応するパラメータに基づいて通信が依然として実行される場合は、端末デバイスがダウンリンクデータを取得できない可能性があり、これにより、ネットワーク性能に影響する。これに対して、本願のこの実施形態では、このような場合、ランダムアクセスが再開されることから、ダウンリンクチャネルの品質はカバレッジレベルと一致する。これによって、上述の問題が解決し、ネットワーク性能を高めることができる。
【０２１９】
なお、上述の実施形態の各々において、端末デバイスが現在のカバレッジレベルでプリアンブルの送信に失敗した回数が、第１閾値、または、現在のカバレッジレベルでのプリアンブルの最大伝送回数より多いとき、端末デバイスは、次のカバレッジレベルに切り替わってプリアンブルを送信する必要がある。カバレッジレベルが切り替わった場合は、端末デバイスは、メッセージ３を使用することにより切り替え指示情報を更に送信してよく、切り替え指示情報は、端末デバイスがカバレッジレベルの切り替えを実行したかどうかを示すために使用される。例えば、切り替え指示情報は長さが１ビットであり、指示情報が０に設定されているとき、カバレッジレベルの切り替えが実行されなかったことを示す、または、指示情報が１に設定されているとき、端末デバイスがカバレッジレベルの切り替えを実行したことを示す。代替的に、切り替え指示情報が１に設定されているとき、端末がカバレッジレベルの切り替えを実行しなかったことを示すか、切り替え指示情報が０に設定されているとき、端末デバイスがカバレッジレベルの切り替えを実行したことを示す。このように、メッセージ３を取得した後、ネットワークデバイスは、切り替え指示情報の値に基づいて、端末デバイスがカバレッジレベルの切り替えを実行したかどうかを判定してよい。端末デバイスがカバレッジレベルの切り替えを実行した（例えば、端末デバイスがカバレッジレベル０からカバレッジレベル１に切り替わった）とき、端末デバイスはカバレッジレベル１でプリアンブルを送信するが、端末デバイスがネットワークデバイスに比較的近いかもしれず、かつ、ダウンリンクチャネルの品質が望ましいかもしれないので、ネットワークデバイスは、カバレッジレベル１に基づいて、メッセージ４の送信の繰り返し回数とＵＳＳの最大値とを構成する必要がないかもしれない。ネットワークデバイスは、メッセージ４の送信の最大繰り返し回数を柔軟に選択することができ、ＲＲＣ接続確立プロセスにおいて、ネットワークデバイスは、ＵＳＳの最大値を適切に構成することができる。例えば、端末デバイスがカバレッジレベルの切り替えを実行したことを指示情報が示すとき、ネットワークデバイスによるメッセージ４の実際の送信の繰り返し回数は、カバレッジレベル１に対応するメッセージ４の繰り返し回数より少ないかもしれず、ネットワークデバイスにより構成されるＵＳＳの最大値は、カバレッジレベル１に対応するＵＳＳの最大値より小さい。このように、端末デバイスの過剰消費およびシステムリソースの無駄が回避され得る。
【０２２０】
故に、本願のこの実施形態では、端末デバイスが切り替え指示情報を報告することから、ネットワークデバイスは、切り替え指示情報に基づいて、メッセージ４の送信の最大繰り返し回数、および／または、端末デバイスのＵＳＳの最大値を適切に決定することができる。これによって、端末デバイスの過剰な電力消費およびシステムリソースの無駄が回避されることにより、ネットワーク性能が高まる。
【０２２１】
なお、上述した本願の実施形態の各々は、第３世代パートナーシッププロジェクト（３ｒｄ  ｇｅｎｅｒａｔｉｏｎ  ｐａｒｔｎｅｒｓｈｉｐ  ｐｒｏｊｅｃｔ、３ＧＰＰ）の各リリース（ｒｅｌｅａｓｅ）を対象としてよい。すなわち、３ＧＰＰの各リリース（リリース１３、リリース１４、またはリリース１５など）の端末デバイスは、上述の実施形態に従って通信を実行してよい。
【０２２２】
オプションとして、上述の実施形態の各々は、新しいリリース（例えば、リリース１５）の端末デバイスのみを対象としてよい。例えば、ネットワークデバイスは、予め設定された方式でシステムメッセージを送信し得ることから、リリース１５の端末デバイスのみが当該システムメッセージ内のカバレッジレベル閾値を正確に復号することができ、古いリリース（リリース１３またはリリース１４など）の端末デバイスは、カバレッジレベル閾値を取得することができない。古いリリースの端末デバイスは、古いリリースのシステムメッセージ内のカバレッジレベル閾値のみを受信することができる。カバレッジレベルの数を構成している間、古いリリースのカバレッジレベルの数、および、新しいリリースのカバレッジレベルの数は別個に構成されてよい。この場合は、新しいリリースの端末デバイスは、本明細書における上述の実施形態の各々に係る方式でランダムアクセスを実行してよく、一方で、古いリリースの端末デバイスは、カバレッジレベル閾値を有さないように別個に構成されてよい。故に、古いリリースの全ての端末デバイスが１つのカバレッジレベルのみ、すなわち、カバレッジレベル０を有するものとみなされ、古いリリースの全ての端末デバイスは、電力上昇方式で既存のカバレッジレベル０でランダムアクセスを実行する。このように、本願のこの実施形態における方法は、古いリリース（リリース１３またはリリース１４など）の端末デバイスに適合する。すなわち、本願のこの実施形態が既存のプロトコルの規定に適合することから、古いリリースの全ての端末デバイスは、既存のプロトコルのカバレッジレベル０に対応する電力上昇方式でランダムアクセスを実行する。これによって、古いリリースの端末デバイスがカバレッジレベルを切り替えることにより生じる、ネットワークデバイスの受信機のノイズフロアが増すという問題が回避される。加えて、新しいリリースの端末デバイスがカバレッジレベルの切り替えを実行できることから、本発明のこの実施形態における方法を使用することにより、ネットワークデバイスの受信機のノイズフロアが増すという問題は解決される。
【０２２３】
なお、上述の実施形態における例は、当業者が本願の実施形態を理解する手助けをすることを意図しているに過ぎず、本願の実施形態を、これらの例に示す特定の値または特定のシナリオに限定することを意図するものではない。明らかに、当業者は、上記の例に対して様々な同等の修正または変更を加えることができる。例えば、上述した本願の実施形態の各々は組み合わされるか組み込まれてよい。上述の修正または変更も本願の実施形態の範囲に含まれる。
【０２２４】
以上では、図１から図８を参照しながら本願の実施形態に係る通信方法について詳述した。以下では、図９から図１２を参照しながら本願の実施形態に係るデバイスについて詳述する。
【０２２５】
図９は、本願の実施形態に係る端末デバイス９００の概略ブロック図である。具体的に言うと、図９に示す通り、端末デバイス９００は、処理ユニット９１０と送受信ユニット９２０とを含む。
【０２２６】
具体的に言うと、処理ユニットは、基準信号受信電力に基づいて少なくとも２つのカバレッジレベルから現在のカバレッジレベルを決定するように構成され、少なくとも２つのカバレッジレベルの各々は電力上昇ステップに対応し、送受信ユニットは、現在のカバレッジレベルに対応する現在の電力上昇ステップに基づいて、電力上昇方式でネットワークデバイスにランダムアクセスプリアンブルを送信するように構成される。
【０２２７】
故に、本願のこの実施形態では、端末デバイスは、電力上昇方式で決定される電力を使用することにより現在のレベルでプリアンブルを送信し、最大電力を使用することによりプリアンブルを直接送信するという従来技術方式は使われない。これによって、別の端末デバイスへの影響を減らすことができる。
【０２２８】
オプションとして、別の実施形態では、送受信ユニットは、前回プリアンブルの送信に失敗したとき、現在の電力上昇ステップによりプリアンブルの伝送電力を増やして新しい電力を取得し、新しい電力を使用することによりプリアンブルを再送信するように特に構成される。
【０２２９】
オプションとして、別の実施形態では、送受信ユニットは、現在のカバレッジレベルでのプリアンブルの送信回数が第１閾値より大きいとき、現在のカバレッジレベルの次のカバレッジレベルでネットワークデバイスにプリアンブルを送信するように更に構成され、第１閾値は、現在のカバレッジレベルでのプリアンブルの最大伝送回数より小さい。
【０２３０】
オプションとして、別の実施形態では、送受信ユニットは、次のカバレッジレベルに対応する繰り返し回数と、現在のカバレッジレベルに対応する現在の電力上昇ステップとを使用することにより、電力上昇方式でプリアンブルを送信するように特に構成される。
【０２３１】
処理ユニットは、基準信号受信性能に基づいて少なくとも２つのカバレッジレベルから現在のカバレッジレベルを決定するように特に構成される。
【０２３２】
オプションとして、別の実施形態では、処理ユニットは、基準信号受信電力および基準信号受信性能に基づいて、少なくとも２つのカバレッジレベルから現在のカバレッジレベルを決定するように特に構成される。
【０２３３】
オプションとして、別の実施形態では、処理ユニットは、基準信号受信電力に基づいて初期のカバレッジレベルを決定することと、初期のカバレッジレベルが基準信号受信性能と一致しないとき、基準信号受信性能に対応するカバレッジレベルを現在のカバレッジレベルとして決定することとを行うように特に構成される。
【０２３４】
オプションとして、別の実施形態では、送受信ユニットは、ネットワークデバイスにより送信された指示情報を受信することであって、指示情報は、端末デバイスによるアップリンク情報の送信の繰り返し回数を示すために使用される、受信すること、および、繰り返し回数が第２閾値より大きいと判定されたとき、最大伝送電力を使用することによりアップリンク情報を送信すること、または、繰り返し回数が第２閾値より小さいか等しいと判定されたとき、第１電力を使用することによりアップリンク情報を送信することであって、第１電力は、パス損失、パス損失補償係数、または伝送帯域幅のうちの少なくとも１つに基づいて、端末デバイスにより決定される、送信することを行うように更に構成される。
【０２３５】
オプションとして、別の実施形態では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【０２３６】
オプションとして、別の実施形態では、第２閾値は予め設定される、第２閾値はＲＡＲにより示される、または、第２閾値は、システムメッセージを使用することにより構成される。
【０２３７】
オプションとして、別の実施形態では、プリアンブルの伝送電力は、プリアンブルのターゲット受信電力と、端末デバイスとネットワークデバイスとの間のパス損失とに基づいて決定され、プリアンブルのターゲット受信電力は、電力上昇ステップと、プリアンブルの現在の送信回数とに関連する。
【０２３８】
オプションとして、別の実施形態では、プリアンブルの伝送電力は、ＰＮＰＲＡＣＨ＝ｍｉｎ｛ＰＣＭＡＸ，ＰＴＡＲＧＥＴ＋ＰＬ｝［ｄＢｍ］という式であって、ＰＮＰＲＡＣＨはプリアンブルの伝送電力を表し、ＰＣＭＡＸは端末デバイスの最大伝送電力を表し、ＰＴＡＲＧＥＴはプリアンブルのターゲット受信電力を表し、ＰＬはパス損失を表し、ＰＴＡＲＧＥＴ＝ＰＰ＋（Ｍ−１）ＰＳであり、ＰＰはプリアンブルの初期のターゲット受信電力を表し、Ｍは現在の送信回数を表し、ＰＳは現在の電力上昇ステップを表す、式、または、ＰＴＡＲＧＥＴ＝ＰＰ＋（Ｍ−１）ＰＳ−１０×ｌｏｇ１０Ｎｒという式であって、Ｎｒは、プリアンブルの送信の繰り返し回数である、式に従って、送受信ユニットにより決定される。
【０２３９】
オプションとして、別の実施形態では、送受信ユニットは、ダウンリンクチャネルの品質に対応するカバレッジレベルが現在のカバレッジレベルと一致しないことを端末デバイスが検出したとき、ダウンリンクチャネルの品質に対応するカバレッジレベルでランダムアクセス手順を再開するように更に構成される。このプロセスは、ランダムアクセス手順が完了した後に実行されてよい。
【０２４０】
オプションとして、別の実施形態では、送受信ユニットは、ネットワークデバイスにダウンリンクチャネルの品質指示情報を送信することであって、ダウンリンクチャネルの品質指示情報は、端末デバイスにより送信されるメッセージ３に保持され、ダウンリンクチャネルの品質指示情報は、ダウンリンクチャネルの品質を示すために使用される、送信することを行うように更に構成される。
【０２４１】
オプションとして、別の実施形態では、送受信ユニットは、構成情報の指示に基づいてネットワークデバイスにダウンリンクチャネルの品質指示情報を送信することであって、構成情報は、ネットワークデバイスにより送信されるＲＡＲに保持される、または、構成情報はシステムメッセージに保持される、送信することを行うように特に構成される。
【０２４２】
オプションとして、別の実施形態では、ダウンリンクチャネルの品質指示情報は、基準信号受信品質ＲＳＲＱ、または、端末デバイスによるＲＡＲ復調中のＮＰＤＣＣＨの繰り返し回数を含む。
【０２４３】
故に、本願のこの実施形態では、レベルの切り替え中、端末デバイスは依然として、電力上昇方式で決定される電力を使用することによりプリアンブルを送信し、最大電力を使用することによりプリアンブルを直接送信するという従来技術方式は使われない。これによって、別の端末デバイスへの影響を減らすことができる。加えて、レベルの切り替え後、各伝送におけるプリアンブルの繰り返し回数が増え、これにより、アクセス成功確率が高まる。
【０２４４】
代替的に、端末デバイス９００内の処理ユニット９１０および送受信ユニット９２０は、処理ユニットが送受信ユニットを制御して、ネットワークデバイスにランダムアクセスプリアンブルを送信するように構成される機能と、ネットワークデバイスにより送信されたランダムアクセス応答ＲＡＲを受信することであって、ＲＡＲは第１リソースを示す、受信することを行うように構成される機能と、ネットワークデバイスにダウンリンクチャネルの品質指示情報を送信することであって、ダウンリンクチャネルの品質指示情報は、第１リソースを使用することによって端末デバイスにより送信されるメッセージ３に保持され、ダウンリンクチャネルの品質指示情報は、ダウンリンクチャネルの品質を示すために使用される、送信することを行うように構成される機能とを更に実装することができる。
【０２４５】
オプションとして、別の実施形態では、送受信ユニットは、構成情報に基づいてネットワークデバイスにダウンリンクチャネルの品質指示情報を送信することであって、構成情報は、ネットワークデバイスにより送信されるＲＡＲに保持される、または、構成情報はシステムメッセージに保持される、送信することを行うように特に構成される。
【０２４６】
オプションとして、別の実施形態では、ダウンリンクチャネルの品質指示情報は、基準信号受信品質ＲＳＲＱ、または、端末デバイスによるＲＡＲ復調中のＮＰＤＣＣＨの繰り返し回数を含む。
【０２４７】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＳＳの最大値を適切に決定することができる。これによって、既存の問題が解決し、かつ、端末デバイスの過剰な電力消費およびシステムリソースの無駄が回避されることにより、ネットワーク性能が高まる。
【０２４８】
代替的に、端末デバイス９００内の処理ユニット９１０および送受信ユニット９２０は、処理ユニットが基準信号受信性能に基づいて現在のカバレッジレベルを決定するように構成される機能と、送受信ユニットが現在のカバレッジレベルでランダムアクセスを実行するように構成される機能とを更に実装することができる。
【０２４９】
オプションとして、別の実施形態では、処理ユニットは、基準信号受信性能および基準信号受信電力に基づいて現在のカバレッジレベルを決定するように特に構成される。
【０２５０】
オプションとして、別の実施形態では、処理ユニットは、基準信号受信電力に基づいて初期のカバレッジレベルを決定することと、初期のカバレッジレベルが基準信号受信性能と一致しないとき、基準信号受信性能に対応するカバレッジレベルを現在のカバレッジレベルとして決定することとを行うように特に構成される。
【０２５１】
オプションとして、別の実施形態では、送受信ユニットは、ネットワークデバイスにランダムアクセスプリアンブルを送信することであって、プリアンブルの伝送電力は、プリアンブルのターゲット受信電力と、端末デバイスとネットワークデバイスとの間のパス損失とに基づいて決定され、プリアンブルのターゲット受信電力は、現在の電力上昇ステップと、端末デバイスによるプリアンブルの現在の送信回数とに関連する、送信することを行うように特に構成される。
【０２５２】
オプションとして、別の実施形態では、プリアンブルの伝送電力は、ＰＮＰＲＡＣＨ＝ｍｉｎ｛ＰＣＭＡＸ，ＰＴＡＲＧＥＴ＋ＰＬ｝［ｄＢｍ］という式であって、ＰＮＰＲＡＣＨはプリアンブルの伝送電力を表し、ＰＣＭＡＸは端末デバイスの最大伝送電力を表し、ＰＴＡＲＧＥＴはプリアンブルのターゲット受信電力を表し、ＰＬはパス損失を表し、ＰＴＡＲＧＥＴ＝ＰＰ＋（Ｍ−１）ＰＳであり、ＰＰはプリアンブルの初期のターゲット受信電力を表し、Ｍは現在の送信回数を表し、ＰＳは電力上昇ステップを表す、式、または、ＰＴＡＲＧＥＴ＝ＰＰ＋（Ｍ−１）ＰＳ−１０×ｌｏｇ１０Ｎｒという式であって、Ｎｒは、プリアンブルの送信の繰り返し回数である、式に従って決定される。
【０２５３】
故に、本願のこの実施形態では、端末デバイスが基準信号受信性能に基づいて現在のカバレッジレベルを決定し得ることから、現在のカバレッジレベルを柔軟かつ正確に決定することができ、ネットワーク性能が高まる。
【０２５４】
代替的に、端末デバイス９００内の処理ユニット９１０および送受信ユニット９２０は、端末デバイスが、ネットワークデバイスにより送信された指示情報を受信する機能であって、指示情報は、端末デバイスによるアップリンク情報の送信の繰り返し回数を示すために使用される、機能、および、繰り返し回数が第２閾値より大きいと端末デバイスが判定したとき、端末デバイスが、最大伝送電力を使用することによりアップリンク情報を送信する機能、または、繰り返し回数が第２閾値より小さいか等しいと端末デバイスが判定したとき、端末デバイスが、第１電力を使用することによりアップリンク情報を送信する機能であって、第１電力は、パス損失、パス損失補償係数、または伝送帯域幅のうちの少なくとも１つに基づいて、端末デバイスにより決定される、機能を更に実装することができる。
【０２５５】
オプションとして、別の実施形態では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【０２５６】
オプションとして、別の実施形態では、第２閾値は予め設定される、第２閾値はＲＡＲにより示される、または、第２閾値は、システムメッセージを使用することにより構成される。
【０２５７】
故に、本願のこの実施形態では、指定された第２閾値が２より大きいので、メッセージ３のためにネットワークデバイスによって構成される繰り返し回数が２より大きい場合でも、当該繰り返し回数が第２閾値より小さい限り、端末デバイスは、最大電力の代わりに例えば第１電力を使用することによってメッセージ３を送信してよく、その結果、ネットワークデバイスのノイズフロアが減り、かつ、別の端末デバイスへの影響が減ることにより、ネットワーク性能が高まる。
【０２５８】
図９に示す端末デバイス９００は、図１から図９の方法の実施形態における端末デバイスに対応するプロセスを実装できることを理解されたい。端末デバイス内の各モジュールの動作および／または機能は、図１から図９の方法の実施形態におけるそれぞれの対応する手順を実装することを意図している。詳細については、方法の実施形態における説明を参照されたい。繰り返しを避けるべく、ここでは必要に応じて詳細な説明を省略する。
【０２５９】
図１０は、本願の実施形態に係るネットワークデバイス１０００の概略ブロック図である。具体的に言うと、図１０に示す通り、ネットワークデバイス１０００は、処理ユニット１０１０と送受信ユニット１０２０とを含む。
【０２６０】
具体的に言うと、処理ユニットは送受信ユニットを制御して、端末デバイスが基準信号受信電力に基づいて少なくとも２つのカバレッジレベルから現在のカバレッジレベルを決定するように、当該端末デバイスに基準信号を送信することであって、少なくとも２つのカバレッジレベルの各々は電力上昇ステップに対応する、送信することと、ランダムアクセスプリアンブルを受信することであって、プリアンブルは現在のカバレッジレベルに対応する現在の電力上昇ステップに基づいて、電力上昇方式で端末デバイスにより送信される、受信することとを行うように構成される。
【０２６１】
故に、本願のこの実施形態では、端末デバイスは、電力上昇方式で決定される電力を使用することにより現在のレベルでプリアンブルを送信し、最大電力を使用することによりプリアンブルを直接送信するという従来技術方式は使われない。これによって、別の端末デバイスへの影響を減らすことができる。
【０２６２】
オプションとして、別の実施形態では、送受信ユニットは、端末デバイスに指示情報を送信することであって、指示情報は、端末デバイスによるアップリンク情報の送信の繰り返し回数を示すために使用される、送信することと、アップリンク情報を受信することであって、繰り返し回数が第２閾値より大きいとき、アップリンク情報は、最大伝送電力を使用することによって端末デバイスにより送信される、または、繰り返し回数が第２閾値より小さいか等しいとき、アップリンク情報は、第１電力を使用することによって端末デバイスにより送信され、第１電力は、パス損失、パス損失補償係数、または伝送帯域幅のうちの少なくとも１つに基づいて、端末デバイスにより決定される、受信することとを行うように更に構成される。
【０２６３】
オプションとして、別の実施形態では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【０２６４】
オプションとして、別の実施形態では、第２閾値は予め設定される、第２閾値はＲＡＲにより示される、または、第２閾値は、システムメッセージを使用することにより構成される。
【０２６５】
オプションとして、別の実施形態では、送受信ユニットは、端末デバイスにより送信されたダウンリンクチャネルの品質指示情報を受信することであって、ダウンリンクチャネルの品質指示情報は、端末デバイスにより送信され、かつ、ネットワークデバイスにより受信されるメッセージ３に保持され、ダウンリンクチャネルの品質指示情報は、ダウンリンクチャネルの品質を示すために使用される、受信することを行うように更に構成され、処理ユニットは、ダウンリンクチャネルの品質に基づいて、メッセージ４の送信の最大繰り返し回数、および／または、端末デバイスのＵＳＳの最大値を決定するように更に構成される。
【０２６６】
オプションとして、別の実施形態では、ダウンリンクチャネルの品質指示情報は、構成情報の指示に基づいて端末デバイスにより送信され、構成情報は、送受信ユニットにより送信されるＲＡＲに保持される、または、構成情報はシステムメッセージに保持される。
【０２６７】
オプションとして、別の実施形態では、ダウンリンクチャネルの品質指示情報は、基準信号受信品質ＲＳＲＱ、または、端末デバイスによるＲＡＲ復調中のＮＰＤＣＣＨの繰り返し回数を含む。
【０２６８】
代替的に、ネットワークデバイス１０００内の処理ユニット１０１０および送受信ユニット１０２０は、送受信ユニットが、端末デバイスにより送信されたランダムアクセスプリアンブルを受信するように構成される機能と、端末デバイスにランダムアクセス応答ＲＡＲを送信することであって、ＲＡＲは第１リソースを示す、送信することを行うように構成される機能と、端末デバイスにより送信されたダウンリンクチャネルの品質指示情報を受信することであって、ダウンリンクチャネルの品質指示情報は、第１リソースを使用することによって端末デバイスにより送信されるメッセージ３に保持され、ダウンリンクチャネルの品質指示情報は、ダウンリンクチャネルの品質を示すために使用される、受信することを行うように構成される機能とを更に実装することができ、処理ユニットは、ダウンリンクチャネルの品質に基づいて、メッセージ４の送信の最大繰り返し回数、および／または、端末デバイスのＵＳＳの最大値を決定するように構成される。
【０２６９】
オプションとして、別の実施形態では、ダウンリンクチャネルの品質指示情報は、構成情報の指示に基づいて端末デバイスにより送信され、構成情報は、送受信ユニットにより送信されるＲＡＲに保持される、または、構成情報はシステムメッセージに保持される。
【０２７０】
オプションとして、別の実施形態では、ダウンリンクチャネルの品質指示情報は、基準信号受信品質ＲＳＲＱ、または、端末デバイスによるＲＡＲ復調中のＮＰＤＣＣＨの繰り返し回数を含む。
【０２７１】
故に、本願のこの実施形態では、端末デバイスがダウンリンクチャネルの品質を報告することから、ネットワークデバイスは、ダウンリンクチャネルの品質に基づいて、メッセージ４の送信の最大繰り返し回数、および／または、端末デバイスのＵＳＳの最大値を適切に決定することができる。これによって、既存の問題が解決し、かつ、端末デバイスの過剰な電力消費およびシステムリソースの無駄が回避されることにより、ネットワーク性能が高まる。
【０２７２】
代替的に、ネットワークデバイス１０００内の処理ユニット１０１０および送受信ユニット１０２０は、処理ユニットが送受信ユニットを制御して、端末デバイスに指示情報を送信することであって、指示情報は、端末デバイスによるアップリンク情報の送信の繰り返し回数を示すために使用される、送信することを行うように構成される機能と、アップリンク情報を受信することであって、繰り返し回数が第２閾値より大きいとき、アップリンク情報は、最大伝送電力を使用することによって端末デバイスにより送信される、または、繰り返し回数が第２閾値より小さいか等しいとき、アップリンク情報は、第１電力を使用することによって端末デバイスにより送信され、第１電力は、パス損失、パス損失補償係数、または伝送帯域幅のうちの少なくとも１つに基づいて、端末デバイスにより決定される、受信することを行うように構成される機能とを更に実装することができる。
【０２７３】
オプションとして、別の実施形態では、指示情報はアップリンクグラントＵＬ  ｇｒａｎｔに保持され、かつ、アップリンク情報はアップリンクデータである、または、指示情報はランダムアクセス応答ＲＡＲに保持され、かつ、アップリンク情報はメッセージ３である。
【０２７４】
オプションとして、別の実施形態では、第２閾値は予め設定される、第２閾値はＲＡＲにより示される、または、第２閾値は、システムメッセージを使用することにより構成される。
【０２７５】
故に、本願のこの実施形態では、指定された第２閾値が２より大きいので、メッセージ３のためにネットワークデバイスによって構成される繰り返し回数が２より大きい場合でも、当該繰り返し回数が第２閾値より小さい限り、端末デバイスは、最大電力の代わりに例えば第１電力を使用することによってメッセージ３を送信してよく、その結果、ネットワークデバイスのノイズフロアが減り、かつ、別の端末デバイスへの影響が減ることにより、ネットワーク性能が高まる。
【０２７６】
図１０に示すネットワークデバイス１０００は、図１から図９の方法の実施形態におけるネットワークデバイスに対応するプロセスを実装できることを理解されたい。ネットワークデバイス内の各モジュールの動作および／または機能は、図１から図９の方法の実施形態におけるそれぞれの対応する手順を実装することを意図している。詳細については、方法の実施形態における説明を参照されたい。繰り返しを避けるべく、ここでは必要に応じて詳細な説明を省略する。
【０２７７】
図１１は、本願の実施形態に係る端末デバイス１１００の概略ブロック図である。具体的に言うと、図１１に示す通り、端末デバイス１１００は、プロセッサ１１１０と送受信機１１２０とを含み、プロセッサ１１１０は送受信機１１２０に接続される。オプションとして、端末デバイス１１００はメモリ１１３０を更に含み、メモリ１１３０はプロセッサ１１１０に接続される。プロセッサ１１１０、メモリ１１３０、および送受信機１１２０は、内部接続パスを使用することにより互いに通信して、制御信号および／またはデータ信号を転送する。メモリ１１３０は、命令を記憶するように構成されてよい。プロセッサ１１１０は、メモリ１１３０に記憶された命令を実行し、送受信機１１２０を制御して情報または信号を受信および送信するように構成される。プロセッサ１１１０がメモリ１１３０内の命令を実行することから、図１から図８の方法の実施形態における端末デバイスに対応するプロセスは完了され得る。繰り返しを避けるべく、詳細についてはここで改めて説明しない。
【０２７８】
端末デバイス１１００は図９の端末デバイス９００に対応してよく、端末デバイス９００内の処理ユニット９１０の機能はプロセッサ１１１０により実装されてよく、送受信ユニット９２０の機能は送受信機１１２０により実装されてよいことを理解されたい。
【０２７９】
故に、本願のこの実施形態では、端末デバイスは、電力上昇方式で決定される電力を使用することにより現在のレベルでプリアンブルを送信し、最大電力を使用することによりプリアンブルを直接送信するという従来技術方式は使われない。これによって、別の端末デバイスへの影響を減らすことができる。
【０２８０】
図１２は、本願の実施形態に係るネットワークデバイス１２００の概略ブロック図である。具体的に言うと、図１２に示す通り、ネットワークデバイス１２００は、プロセッサ１２１０と送受信機１２２０とを含み、プロセッサ１２１０は送受信機１２２０に接続される。オプションとして、ネットワークデバイス１２００はメモリ１２３０を更に含み、メモリ１２３０はプロセッサ１２１０に接続される。プロセッサ１２１０、メモリ１２３０、および送受信機１２２０は、内部接続パスを使用することにより互いに通信して、制御信号および／またはデータ信号を転送する。メモリ１２３０は、命令を記憶するように構成されてよい。プロセッサ１２１０は、メモリ１２３０に記憶された命令を実行し、送受信機１２２０を制御して情報または信号を受信および送信するように構成される。プロセッサ１２１０がメモリ１２３０内の命令を実行することから、図２から図９の方法の実施形態におけるネットワークデバイスに対応するプロセスは完了され得る。繰り返しを避けるべく、詳細についてはここで改めて説明しない。
【０２８１】
ネットワークデバイス１２００は図１０のネットワークデバイス１０００に対応してよく、ネットワークデバイス１０００内の処理ユニット１０１０の機能はプロセッサ１２１０により実装されてよく、送受信ユニット１０２０の機能は送受信機１２２０により実装されてよいことを理解されたい。
【０２８２】
故に、本願のこの実施形態では、端末デバイスは、電力上昇方式で決定される電力を使用することにより現在のレベルでプリアンブルを送信し、最大電力を使用することによりプリアンブルを直接送信するという従来技術方式は使われない。これによって、別の端末デバイスへの影響を減らすことができる。
【０２８３】
なお、本願の実施形態におけるプロセッサ（例えば、図１２のプロセッサ１２１０、または図１１のプロセッサ１１１０）は、信号処理能力を有する集積回路チップであってよい。ある実装プロセスでは、プロセッサ内のハードウェア集積論理回路を使用することにより、または、ソフトウェアの形態の命令を使用することにより、上述した方法の実施形態における段階が実装されてよい。プロセッサは、汎用プロセッサ、デジタル信号プロセッサ（ｄｉｇｉｔａｌ  ｓｉｇｎａｌ  ｐｒｏｃｅｓｓｏｒ、ＤＳＰ）、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、フィールドプログラマブルゲートアレイ（ｆｉｅｌｄ  ｐｒｏｇｒａｍｍａｂｌｅ  ｇａｔｅ  ａｒｒａｙ、ＦＰＧＡ）もしくは別のプログラマブル論理デバイス、ディスクリートゲートもしくはトランジスタ論理デバイス、またはディスクリートハードウェアコンポーネントであってよい。プロセッサは、本願の実施形態では開示される方法、段階、および論理ブロック図を実装または実行してよい。汎用プロセッサはマイクロプロセッサであってよい、または、プロセッサは任意の従来のプロセッサなどであってよい。本願の実施形態との関連で開示される方法の段階は、ハードウェア復号プロセッサを使用することにより直接実行および実現されてもよいし、復号プロセッサ内のハードウェアとソフトウェアモジュールとの組み合わせを使用することにより実行および実現されてもよい。ソフトウェアモジュールは、ランダムアクセスメモリ、フラッシュメモリ、リードオンリメモリ、プログラマブルリードオンリメモリ、電気的消去可能プログラマブルメモリ、またはレジスタなど、当該分野における成熟した記憶媒体に配置されてよい。記憶媒体はメモリに配置され、プロセッサはメモリから情報を読み取り、プロセッサのハードウェアとの組み合わせで上述の方法の段階を完了する。
【０２８４】
理解できるであろうが、本願の実施形態におけるメモリ（図１２のメモリ１２３０、または図１１のメモリ１１３０など）は、揮発性メモリまたは不揮発性メモリであってもよいし、揮発性メモリおよび不揮発性メモリの両方を含んでもよい。不揮発性メモリは、リードオンリメモリ（ｒｅａｄ−ｏｎｌｙ  ｍｅｍｏｒｙ、ＲＯＭ）、プログラマブルリードオンリメモリ（ｐｒｏｇｒａｍｍａｂｌｅ  ＲＯＭ、ＰＲＯＭ）、消去可能プログラマブルリードオンリメモリ（ｅｒａｓａｂｌｅ  ＰＲＯＭ、ＥＰＲＯＭ）、電気的消去可能プログラマブルリードオンリメモリ（ｅｌｅｃｔｒｉｃａｌｌｙ  ＥＰＲＯＭ、ＥＥＰＲＯＭ）、またはフラッシュメモリであってよい。揮発性メモリは、外部キャッシュとして使用されるランダムアクセスメモリ（ｒａｎｄｏｍ  ａｃｃｅｓｓ  ｍｅｍｏｒｙ、ＲＡＭ）であってよい。限定的な説明ではなく例として、スタティックランダムアクセスメモリ（ｓｔａｔｉｃ  ＲＡＭ、ＳＲＡＭ）、ダイナミックランダムアクセスメモリ（ｄｙｎａｍｉｃ  ＲＡＭ、ＤＲＡＭ）、シンクロナス・ダイナミックランダムアクセスメモリ（ｓｙｎｃｈｒｏｎｏｕｓ  ＤＲＡＭ、ＳＤＲＡＭ）、ダブルデータレート・シンクロナス・ダイナミックランダムアクセスメモリ（ｄｏｕｂｌｅ  ｄａｔａ  ｒａｔｅ  ＳＤＲＡＭ、ＤＤＲ  ＳＤＲＡＭ）、高速シンクロナス・ダイナミックランダムアクセスメモリ（ｅｎｈａｎｃｅｄ  ＳＤＲＡＭ、ＥＳＤＲＡＭ）、シンクリンク・ダイナミックランダムアクセスメモリ（ｓｙｎｃｈｌｉｎｋ  ＤＲＡＭ、ＳＬＤＲＡＭ）、およびダイレクトランバス・ダイナミックランダムアクセスメモリ（ｄｉｒｅｃｔ  ｒａｍｂｕｓ  ＲＡＭ、ＤＲ  ＲＡＭ）など、多くの形態のＲＡＭが使用されてよい。なお、本明細書で説明する方法およびシステムのメモリには、以下に限定されるわけではないが、これらのメモリ、および、別の適切なタイプの任意のメモリが含まれる。
【０２８５】
本願の実施形態はコンピュータ可読媒体を更に提供する。コンピュータ可読媒体はコンピュータプログラムを記憶し、当該コンピュータプログラムがコンピュータにより実行されるとき、上述した方法の実施形態の何れか１つにおける通信方法は実装される。
【０２８６】
本願の実施形態はコンピュータプログラム製品を更に提供する。コンピュータプログラム製品がコンピュータにより実行されるとき、上述した方法の実施形態の何れか１つにおける通信方法は実装される。
【０２８７】
上述の実施形態は、ソフトウェア、ハードウェア、ファームウェア、またはこれらの任意の組み合わせを使用することにより、完全にまたは部分的に実装されてよい。ソフトウェアを使用することにより実施形態が実装されるとき、実施形態は、コンピュータプログラム製品の形態で完全にまたは部分的に実装されてよい。コンピュータプログラム製品は１つまたは複数のコンピュータ命令を含む。コンピュータ命令がコンピュータでロードおよび実行されるとき、本願の実施形態に係る手順または機能のうちの全てまたは幾つかが生成される。コンピュータは、汎用コンピュータ、専用コンピュータ、コンピュータネットワーク、または別のプログラマブル装置であってよい。コンピュータ命令は、コンピュータ可読記憶媒体に記憶されてもよいし、コンピュータ可読記憶媒体から別のコンピュータ可読記憶媒体に伝送されてもよい。例えば、コンピュータ命令は、有線（例えば、同軸ケーブル、光ファイバ、またはデジタル加入者線（ｄｉｇｉｔａｌ  ｓｕｂｓｃｒｉｂｅｒ  ｌｉｎｅ、ＤＳＬ））または無線（例えば、赤外線、ラジオ、またはマイクロ波）の方式で、ウェブサイト、コンピュータ、サーバ、またはデータセンタから別のウェブサイト、コンピュータ、サーバ、またはデータセンタに伝送されてよい。コンピュータ可読記憶媒体は、コンピュータからアクセス可能な任意の使用可能な媒体、または、１つまたは複数の使用可能な媒体を統合するサーバまたはデータセンタなどのデータ記憶デバイスであってよい。使用可能な媒体は、磁気媒体（例えば、フロッピー（登録商標）ディスク、ハードディスク、または磁気テープ）、光媒体（例えば、高密度デジタルビデオディスク（ｄｉｇｉｔａｌ  ｖｉｄｅｏ  ｄｉｓｃ、ＤＶＤ）、または半導体媒質（例えば、ソリッドステートドライブ（ｓｏｌｉｄ  ｓｔａｔｅ  ｄｉｓｋ、ＳＳＤ）などであってよい。
【０２８８】
処理装置はチップであってよく、プロセッサは、ハードウェアまたはソフトウェアを使用することにより実装されてよいことを理解されたい。ハードウェアを使用することによりプロセッサが実装されるとき、プロセッサは論理回路または集積回路などであってよい。ソフトウェアを使用することによりプロセッサが実装されるとき、プロセッサは汎用プロセッサであってよく、メモリに記憶されたソフトウェアコードを読み取ることにより実装される。メモリはプロセッサに統合されてもよいし、プロセッサの外側に配置され、独立して存在してもよい。
【０２８９】
上述のプロセスの順序番号は、本願の様々な実施形態における実行順序を意味するものではないことを理解されたい。プロセスの実行順序は、プロセスの機能および内部論理に基づいて決定されるべきであり、本願の実施形態の実装プロセスに対するいかなる限定とも解釈されるべきではない。
【０２９０】
加えて、本明細書では通常、「システム」および「ネットワーク」という用語を同義で使用することがある。本明細書における「および／または」という用語は、関連付けられる対象物を説明するための対応関係のみを説明するものであり、３つの関係が存在し得ることを表す。例えば、Ａおよび／またはＢは、Ａのみが存在する、ＡおよびＢの両方が存在する、および、Ｂのみが存在するという３つの場合を表し得る。加えて、本明細書における「／」という文字は概して、関連付けられる対象物間の「または」の関係を示す。
【０２９１】
本願の実施形態では、「Ａに対応するＢ」は、ＢがＡと関連付けられ、ＢがＡに従って決定され得ることを示すことを理解されたい。ただし、Ａに従ってＢを決定することは、ＢがＡのみに従って決定されることではなく、Ｂが代替的にＡおよび／または他の情報に従って決定され得ることを意味することも理解されたい。
【０２９２】
当業者であれば、本明細書で開示される実施形態に記載の例と組み合わせて、電子ハードウェア、コンピュータソフトウェア、またはこれらの組み合わせを使用することにより、ユニットおよびアルゴリズム段階が実装され得ることが分かるかもしれない。ハードウェアとソフトウェアとの互換性を明確に説明すべく、以上では概して、各例の構成および段階を機能に基づいて説明した。これらの機能がハードウェアにより実行されるかソフトウェアにより実行されるかは、技術的解決策の特定の適用および設計上の制約によって決まる。当業者であれば、異なる方法を使用して、記載の機能を特定の適用ごとに実装できるが、その実装が本願の範囲を超えるものとみなすべきではない。
【０２９３】
当業者であれば明確に理解できるであろうが、説明を簡便にするため、上述のシステム、装置、およびユニットの詳しい動作プロセスについては、上述した方法の実施形態における対応するプロセスを参照してよい。詳細についてはここで改めて説明しない。
【０２９４】
加えて、本願の実施形態における機能ユニットが１つの処理ユニットに統合されてもよいし、これらのユニットの各々が物理的に単独で存在してもよく、または、少なくとも２つのユニットが１つのユニットに統合される。統合されたユニットはハードウェアの形態で実装されてもよいし、ソフトウェア機能ユニットの形態で実装されてもよい。
【０２９５】
上述の実装の説明から、当業者であれば、ハードウェア、ファームウェア、またはこれらの組み合わせを使用することにより本願が実装され得ることを明確に理解できるであろう。ソフトウェアを使用することにより本願が実装されるとき、上述の機能は、コンピュータ可読媒体に記憶されてもよいし、コンピュータ可読媒体内の１つまたは複数の命令またはコードとして伝送されてもよい。コンピュータ可読媒体には、コンピュータ記憶媒体および通信媒体が含まれ、通信媒体には、コンピュータプログラムを１つの場所から別の場所に伝送することを可能にする任意の媒体が含まれる。記憶媒体は、コンピュータからアクセス可能な任意の使用可能な媒体であってよい。以下ではいかなる制限も課すことなく、例を提供する。コンピュータ可読媒体は、ＲＡＭ、ＲＯＭ、ＥＥＰＲＯＭ、ＣＤ−ＲＯＭ、他の光ディスク記憶装置、磁気ディスク記憶媒体、別の磁気記憶デバイス、または、予想されるプログラムコードを命令またはデータ構造の形態で保持または記憶でき、かつ、コンピュータからアクセス可能である、任意の他の媒体を含んでよい。加えて、任意の接続がコンピュータ可読媒体として適宜定義されてよい。例えば、同軸ケーブル、光ファイバ／ケーブル、ツイストペア、デジタル加入者線（ＤＳＬ）、または、赤外線、ラジオ、およびマイクロ波などの無線技術を使用することにより、ウェブサイト、サーバ、または別の遠隔ソースからソフトウェアが伝送される場合は、同軸ケーブル、光ファイバ／ケーブル、ツイストペア、ＤＳＬ、または、赤外線、ラジオ、およびマイクロ波などの無線技術は、それ自体が属する媒体の固定法に含まれる。例えば、本願で使用されるディスク（ｄｉｓｋ）またはディスク（ｄｉｓｃ）には、コンパクトディスク（ＣＤ）、レーザディスク、光ディスク、デジタル多用途ディスク（ＤＶＤ）、フロッピー（登録商標）ディスク、およびブルーレイ（登録商標）ディスクが含まれ、ディスク（ｄｉｓｋ）は概して磁気的手段によりデータをコピーし、ディスク（ｄｉｓｃ）はレーザを使用することによりデータを光学的にコピーする。上述の組み合わせもコンピュータ可読媒体の保護範囲に含まれるべきである。
【０２９６】
要するに、上述の説明は、本願の技術的解決策の実施形態の例に過ぎず、本願の保護範囲を限定することを意図するものではない。本願の趣旨および原理から逸脱することなくなされる修正、同等の置換、または改善は何れも、本願の保護範囲に含まれるものとする。
【図１】
2020524948.tif 000005
【図２】
2020524948.tif 000006
【図３】
2020524948.tif 000007
【図４】
2020524948.tif 000008
【図５】
2020524948.tif 000009
【図６】
2020524948.tif 000010
【図７】
2020524948.tif 000011
【図８】
2020524948.tif 000012
【図９】
2020524948.tif 000013
【図１０】
2020524948.tif 000014
【図１１】
2020524948.tif 000015
【図１２】
2020524948.tif 000016
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
通信方法であって、
端末デバイスがネットワークデバイスにランダムアクセスプリアンブルを送信する段階と、
前記端末デバイスが、前記ネットワークデバイスからランダムアクセス応答（ＲＡＲ）を受信する段階であって、前記ＲＡＲは第１リソースを示す、段階と、
前記端末デバイスが前記ネットワークデバイスにダウンリンクチャネルの品質指示情報を送信する段階であって、前記ダウンリンクチャネルの品質指示情報は、前記第１リソース上のメッセージ３に保持され、前記ダウンリンクチャネルの品質指示情報は、ダウンリンクチャネルの品質を示すために使用される、段階と
を備える方法。
【請求項２】
前記端末デバイスが前記ネットワークデバイスにダウンリンクチャネルの品質指示情報を送信する前記段階は、
前記端末デバイスが構成情報に基づいて前記ネットワークデバイスに前記ダウンリンクチャネルの品質指示情報を送信する段階であって、前記構成情報はシステムメッセージに保持される、段階
を有する、請求項１に記載の方法。
【請求項３】
前記ダウンリンクチャネルの品質指示情報は、ＲＡＲ復調中に決定される狭帯域物理ダウンリンク制御チャネル（ＮＰＤＣＣＨ）の繰り返し回数を含む、
請求項１または２に記載の方法。
【請求項４】
前記方法は、
前記端末デバイスが少なくとも２つのカバレッジレベルから現在のカバレッジレベルを決定する段階であって、前記少なくとも２つのカバレッジレベルの各々は電力上昇ステップに対応する、段階
を更に備え、
前記端末デバイスが前記ネットワークデバイスに前記ランダムアクセスプリアンブルを送信する前記段階は、
前記現在のカバレッジレベルに対応する現在の電力上昇ステップに基づいて、電力上昇方式で前記ランダムアクセスプリアンブルを送信する段階
を有する、
請求項１から３の何れか一項に記載の方法。
【請求項５】
前記現在のカバレッジレベルに対応する前記現在の電力上昇ステップに基づいて、前記電力上昇方式で前記ランダムアクセスプリアンブルを送信する前記段階は、
前記ランダムアクセスプリアンブルの送信に失敗したとき、前記端末デバイスが前記現在の電力上昇ステップにより前記ランダムアクセスプリアンブルの伝送電力を増やして新しい伝送電力を取得する段階と、
前記端末デバイスが、前記新しい伝送電力を使用することにより前記ランダムアクセスプリアンブルを再送信する段階と
を含む、
請求項４に記載の方法。
【請求項６】
前記現在のカバレッジレベルでの前記端末デバイスによる前記ランダムアクセスプリアンブルの送信回数が第１閾値より大きいとき、前記端末デバイスが前記現在のカバレッジレベルの次のカバレッジレベルで前記ネットワークデバイスに前記ランダムアクセスプリアンブルを送信する段階であって、前記第１閾値は、前記現在のカバレッジレベルでのプリアンブルの最大伝送回数より小さい、段階
を更に備える、請求項４または５に記載の方法。
【請求項７】
前記端末デバイスが前記現在のカバレッジレベルの次のカバレッジレベルで前記ネットワークデバイスに前記ランダムアクセスプリアンブルを送信する前記段階は、
前記端末デバイスが、前記次のカバレッジレベルに対応する繰り返し回数と、前記現在のカバレッジレベルに対応する前記現在の電力上昇ステップとを使用することにより、電力上昇方式で前記ランダムアクセスプリアンブルを送信する段階
を有する、請求項６に記載の方法。
【請求項８】
通信方法であって、
ネットワークデバイスが端末デバイスからランダムアクセスプリアンブルを受信する段階と、
前記ネットワークデバイスが前記端末デバイスにランダムアクセス応答（ＲＡＲ）を送信する段階であって、前記ＲＡＲは第１リソースを示す、段階と、
前記ネットワークデバイスが、前記端末デバイスからダウンリンクチャネルの品質指示情報を受信する段階であって、前記ダウンリンクチャネルの品質指示情報は、前記第１リソース上のメッセージ３に保持され、前記ダウンリンクチャネルの品質指示情報は、ダウンリンクチャネルの品質を示すために使用される、段階と、
前記ネットワークデバイスが、前記ダウンリンクチャネルの品質に基づいて前記端末デバイスのＵＥ固有検索空間（ＵＳＳ）の最大値を決定する段階と
を備える方法。
【請求項９】
前記ネットワークデバイスが前記端末デバイスにシステム情報を送信する段階であって、前記システム情報は、前記ダウンリンクチャネルの品質指示情報の送信を示す構成情報を保持する、送信する段階
を更に備える、請求項８に記載の方法。
【請求項１０】
前記ダウンリンクチャネルの品質指示情報は、ＲＡＲ復調中に決定される狭帯域物理ダウンリンク制御チャネル（ＮＰＤＣＣＨ）の繰り返し回数を含む、
請求項８または９に記載の方法。
【請求項１１】
請求項１から７の何れか一項に記載の方法を実行するように構成される端末デバイス。
【請求項１２】
コンピュータに、請求項１から７の何れか一項に記載の方法の段階を実行させるためのプログラム。
【請求項１３】
請求項８から１０の何れか一項に記載の方法を実行するように構成されるネットワークデバイス。
【請求項１４】
コンピュータに、請求項８から１０の何れか一項に記載の方法の段階を実行させるためのプログラム。
【請求項１５】
請求項１１に記載の端末デバイスと請求項１３に記載のネットワークデバイスとを備える通信システム。
【手続補正２】
【補正対象書類名】明細書
【補正対象項目名】０００６
【補正方法】変更
【補正の内容】
【０００６】
低費用（ｌｏｗ  ｃｏｓｔｓ）：ＭＴＣ端末デバイスの費用を既存のモバイル端末の費用より低くする必要があり、低費用はＭＴＣ端末デバイスを大規模に展開するための前提条件である。
【手続補正３】
【補正対象書類名】明細書
【補正対象項目名】００９６
【補正方法】変更
【補正の内容】
【００９６】
本発明の実施形態における技術的解決策は、ＮＢ−ＩｏＴ通信に適用されてよいことを理解されたい。ＮＢ−ＩｏＴ通信は、様々な通信システムで実施されてよい。例えば、本願の実施形態は、グローバルシステム・フォー・モバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ（登録商標））システム、符号分割多重アクセス（ｃｏｄｅ  ｄｉｖｉｓｉｏｎ  ｍｕｌｔｉｐｌｅ  ａｃｃｅｓｓ、ＣＤＭＡ）システム、広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ、ＧＰＲＳ）システム、ロングタームエボリューション（ｌｏｎｇ  ｔｅｒｍ  ｅｖｏｌｕｔｉｏｎ、ＬＴＥ）システム、ＬＴＥ周波数分割複信（ｆｒｅｑｕｅｎｃｙ  ｄｉｖｉｓｉｏｎ  ｄｕｐｌｅｘ、ＦＤＤ）システム、ＬＴＥ時分割複信（ｔｉｍｅ  ｄｉｖｉｓｉｏｎ  ｄｕｐｌｅｘ、ＴＤＤ）システム、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ、ＵＭＴＳ）、無線ローカルエリアネットワーク（ｗｉｒｅｌｅｓｓ  ｌｏｃａｌ  ａｒｅａ  ｎｅｔｗｏｒｋ、ＷＬＡＮ）システム、ワイヤレスフィデリティ（ｗｉｒｅｌｅｓｓ  ｆｉｄｅｌｉｔｙ、Ｗｉ−Ｆｉ）システム、および次世代通信システム、すなわち、新無線（ｎｅｗ  ｒａｄｉｏ、ＮＲ）システムなどの第５世代（５ｔｈ  ｇｅｎｅｒａｔｉｏｎ、５Ｇ）通信システムに適用されてよい。
【手続補正４】
【補正対象書類名】明細書
【補正対象項目名】００９７
【補正方法】変更
【補正の内容】
【００９７】
本願の実施形態では、ネットワークデバイスが、グローバルシステム・フォー・モバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ）または符号分割多重アクセス（ｃｏｄｅ  ｄｉｖｉｓｉｏｎ  ｍｕｌｔｉｐｌｅ  ａｃｃｅｓｓ、ＣＤＭＡ）におけるベーストランシーバ基地局（ｂａｓｅ  ｔｒａｎｓｃｅｉｖｅｒ  ｓｔａｔｉｏｎ、ＢＴＳ）であってもよいし、広帯域符号分割多重アクセス（ｗｉｄｅｂａｎｄ  ｃｏｄｅ  ｄｉｖｉｓｉｏｎ  ｍｕｌｔｉｐｌｅ  ａｃｃｅｓｓ、ＷＣＤＭＡ）におけるノードＢ（ｎｏｄｅＢ、ＮＢ）であってもよいし、ロングタームエボリューション（ｌｏｎｇ  ｔｅｒｍ  ｅｖｏｌｕｔｉｏｎ、ＬＴＥ）における進化型ノードＢ（ｅｖｏｌｕｔｉｏｎａｌ  ｎｏｄｅ  Ｂ、ｅＮＢ／ｅＮｏｄｅＢ）、中継ノード、アクセスポイント、車載デバイス、ウェアラブルデバイス、または、将来の５Ｇネットワークにおけるネットワーク側デバイス、例えば、ＮＲシステムにおける伝送ポイント（ＴＲＰまたはＴＰ）、ＮＲシステムにおける次世代ノードＢ（ｇＮＢ）、または、５ＧシステムにおけるｇＮＢの１つのアンテナパネルもしくは一群のアンテナパネル（複数のアンテナパネルを含む）であってもよい。これは本願の実施形態において特に限定されない。
【手続補正５】
【補正対象書類名】明細書
【補正対象項目名】０１３０
【補正方法】変更
【補正の内容】
【０１３０】
基準信号受信性能は、基準信号の信号対雑音比（Ｓｉｇｎａｌ  Ｎｏｉｓｅ  Ｒａｔｉｏ、ＳＮＲ）、または、基準信号受信品質（ｒｅｆｅｒｅｎｃｅ  ｓｉｇｎａｌ  ｒｅｃｅｉｖｅｄ  ｑｕａｌｉｔｙ、ＲＳＲＱ）を含んでよい。例えば、端末デバイスは、現在の受信性能を受信性能閾値と比較して現在のカバレッジレベルを決定してよい。基準信号受信性能がＳＮＲであるとき、受信性能閾値はＳＮＲ閾値である、または、基準信号受信性能がＲＳＲＰであるとき、受信性能閾値はＲＳＲＰ閾値であることを理解されたい。受信性能閾値はシステムメッセージに保持されてもよいし、システムにより予め設定されてもよい。本願のこの実施形態はこれに限定されない。例えば、基準信号受信性能閾値は、２つの閾値、すなわち、性能閾値１および性能閾値２を含んでよく、性能閾値１は性能閾値２より小さい。端末デバイスは、基準信号受信性能の値をこれら２つの性能閾値と比較して、現在のカバレッジレベルを決定する。例えば、受信性能の値が性能閾値１より小さいとき、現在のカバレッジレベルがカバレッジレベル２であると判定されるか、受信性能の値が性能閾値２より大きいとき、現在のカバレッジレベルがカバレッジレベル０であると判定されるか、または、受信性能の値が性能閾値１と性能閾値２との間にあるとき、現在のカバレッジレベルがカバレッジレベル１であると判定される。
【手続補正６】
【補正対象書類名】明細書
【補正対象項目名】０２９６
【補正方法】変更
【補正の内容】
【０２９６】
要するに、上述の説明は、本願の技術的解決策の実施形態の例に過ぎず、本願の保護範囲を限定することを意図するものではない。本願の趣旨および原理から逸脱することなくなされる修正、同等の置換、または改善は何れも、本願の保護範囲に含まれるものとする。
（項目１）
通信方法であって、
端末デバイスが少なくとも２つのカバレッジレベルから現在のカバレッジレベルを決定する段階であって、上記少なくとも２つのカバレッジレベルの各々は電力上昇ステップに対応する、段階と、
上記端末デバイスが、上記現在のカバレッジレベルに対応する現在の電力上昇ステップに基づいて、電力上昇方式でネットワークデバイスにランダムアクセスプリアンブルを送信する段階と
を備える方法。
（項目２）
上記端末デバイスが、上記現在のカバレッジレベルに対応する現在の電力上昇ステップに基づいて、電力上昇方式でネットワークデバイスにランダムアクセスプリアンブルを送信する上記段階は、
前回上記プリアンブルの送信に失敗したとき、上記端末デバイスが上記現在の電力上昇ステップにより上記プリアンブルの伝送電力を増やして新しい電力を取得する段階と、上記新しい電力を使用することにより上記プリアンブルを再送信する段階と
を有する、
項目１に記載の方法。
（項目３）
上記方法は、
上記現在のカバレッジレベルでの上記端末デバイスによる上記プリアンブルの送信回数が第１閾値より大きいとき、上記端末デバイスが上記現在のカバレッジレベルの次のカバレッジレベルで上記ネットワークデバイスに上記プリアンブルを送信する段階
を更に備え、
上記第１閾値は、上記現在のカバレッジレベルでのプリアンブルの最大伝送回数より小さい、
項目１または２に記載の方法。
（項目４）
上記端末デバイスが上記現在のカバレッジレベルの次のカバレッジレベルで上記ネットワークデバイスに上記プリアンブルを送信する上記段階は、
上記端末デバイスが、上記次のカバレッジレベルに対応する繰り返し回数と、上記現在のカバレッジレベルに対応する上記現在の電力上昇ステップとを使用することにより、電力上昇方式で上記プリアンブルを送信する段階
を有する、項目３に記載の方法。
（項目５）
端末デバイスが少なくとも２つのカバレッジレベルから現在のカバレッジレベルを決定する上記段階は、
上記端末デバイスが、基準信号受信性能に基づいて、上記少なくとも２つのカバレッジレベルから上記現在のカバレッジレベルを決定する段階
を有する、
項目１から４の何れか一項に記載の方法。
（項目６）
上記端末デバイスが、基準信号受信性能に基づいて、上記少なくとも２つのカバレッジレベルから上記現在のカバレッジレベルを決定する上記段階は、
上記端末デバイスが、基準信号受信電力および上記基準信号受信性能に基づいて、上記少なくとも２つのカバレッジレベルから上記現在のカバレッジレベルを決定する段階
を含む、
項目５に記載の方法。
（項目７）
上記端末デバイスが、基準信号受信電力および上記基準信号受信性能に基づいて、上記少なくとも２つのカバレッジレベルから上記現在のカバレッジレベルを決定する上記段階は、
上記端末デバイスが上記基準信号受信電力に基づいて初期のカバレッジレベルを決定する段階と、
上記初期のカバレッジレベルが上記基準信号受信性能と一致しないとき、上記端末デバイスが、上記基準信号受信性能に対応するカバレッジレベルを上記現在のカバレッジレベルとして決定する段階と
を含む、項目６に記載の方法。
（項目８）
上記端末デバイスが、上記ネットワークデバイスにより送信された指示情報を受信する段階であって、上記指示情報は、上記端末デバイスによるアップリンク情報の送信の繰り返し回数を示すために使用される、段階、および、
上記繰り返し回数が第２閾値より大きいと上記端末デバイスが判定したとき、上記端末デバイスが、最大伝送電力を使用することにより上記アップリンク情報を送信する段階、または、
上記繰り返し回数が上記第２閾値より小さいか等しいと上記端末デバイスが判定したとき、上記端末デバイスが、第１電力を使用することにより上記アップリンク情報を送信する段階であって、上記第１電力は、パス損失、パス損失補償係数、または伝送帯域幅のうちの少なくとも１つに基づいて、上記端末デバイスにより決定される、段階
を更に備える、項目１から７の何れか一項に記載の方法。
（項目９）
上記指示情報はアップリンクグラントＵＬ  ｇｒａｎｔに保持され、かつ、上記アップリンク情報はアップリンクデータである、または、
上記指示情報はランダムアクセス応答ＲＡＲに保持され、かつ、上記アップリンク情報はメッセージ３である、
項目８に記載の方法。
（項目１０）
上記第２閾値は予め設定される、上記第２閾値は上記ＲＡＲにより示される、または、上記第２閾値は、システムメッセージを使用することにより構成される、
項目８または９に記載の方法。
（項目１１）
上記プリアンブルの伝送電力は、上記プリアンブルのターゲット受信電力と、上記端末デバイスと上記ネットワークデバイスとの間のパス損失とに基づいて、上記端末デバイスにより決定され、上記プリアンブルの上記ターゲット受信電力は、上記現在の電力上昇ステップと、上記端末デバイスによる上記プリアンブルの現在の送信回数とに関連する、
項目１から１０の何れか一項に記載の方法。
（項目１２）
上記プリアンブルの上記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは上記プリアンブルの上記伝送電力を表し、ＰＣＭＡＸは上記端末デバイスの上記最大伝送電力を表し、ＰＴＡＲＧＥＴは上記プリアンブルの上記ターゲット受信電力を表し、ＰＬは上記パス損失を表し、
ＰＴＡＲＧＥＴ＝ＰＰ＋（Ｍ−１）ＰＳであり、
ＰＰは上記プリアンブルの初期のターゲット受信電力を表し、Ｍは上記現在の送信回数を表し、ＰＳは上記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、上記プリアンブルの送信の繰り返し回数である、
式に従って、上記端末デバイスにより決定される、項目１１に記載の方法。
（項目１３）
ダウンリンクチャネルの品質に対応するカバレッジレベルが上記現在のカバレッジレベルと一致しないことを上記端末デバイスが検出したとき、上記端末デバイスが、上記ダウンリンクチャネルの品質に対応する上記カバレッジレベルでランダムアクセス手順を再開する段階
を更に備える、項目１から１２の何れか一項に記載の方法。
（項目１４）
上記端末デバイスが上記ネットワークデバイスにダウンリンクチャネルの品質指示情報を送信する段階であって、上記ダウンリンクチャネルの品質指示情報は、上記端末デバイスにより送信されるメッセージ３に保持され、上記ダウンリンクチャネルの品質指示情報は、ダウンリンクチャネルの品質を示すために使用される、段階
を更に備える、項目１から１３の何れか一項に記載の方法。
（項目１５）
上記端末デバイスが上記ネットワークデバイスにダウンリンクチャネルの品質指示情報を送信する上記段階は、
上記端末デバイスが構成情報の指示に基づいて上記ネットワークデバイスに上記ダウンリンクチャネルの品質指示情報を送信する段階であって、上記構成情報は、上記ネットワークデバイスにより送信されるＲＡＲに保持される、または、上記構成情報はシステムメッセージに保持される、段階
を有する、
項目１４に記載の方法。
（項目１６）
上記ダウンリンクチャネルの品質指示情報は、基準信号受信品質ＲＳＲＱ、または、上記端末デバイスによるＲＡＲ復調中の狭帯域物理ダウンリンク制御チャネルＮＰＤＣＣＨの繰り返し回数を含む、
項目１４または１５に記載の方法。
（項目１７）
通信方法であって、
端末デバイスがネットワークデバイスにランダムアクセスプリアンブルを送信する段階と、
上記端末デバイスが、上記ネットワークデバイスにより送信されたランダムアクセス応答ＲＡＲを受信する段階であって、上記ＲＡＲは第１リソースを示す、段階と、
上記端末デバイスが上記ネットワークデバイスにダウンリンクチャネルの品質指示情報を送信する段階であって、上記ダウンリンクチャネルの品質指示情報は、上記第１リソースを使用することによって上記端末デバイスにより送信されるメッセージ３に保持され、上記ダウンリンクチャネルの品質指示情報は、ダウンリンクチャネルの品質を示すために使用される、段階と
を備える方法。
（項目１８）
上記端末デバイスが上記ネットワークデバイスにダウンリンクチャネルの品質指示情報を送信する上記段階は、
上記端末デバイスが構成情報に基づいて上記ネットワークデバイスに上記ダウンリンクチャネルの品質指示情報を送信する段階であって、上記構成情報は、上記ネットワークデバイスにより送信される上記ＲＡＲに保持される、または、上記構成情報はシステムメッセージに保持される、段階
を有する、
項目１７に記載の方法。
（項目１９）
上記ダウンリンクチャネルの品質指示情報は、基準信号受信品質ＲＳＲＱ、または、上記端末デバイスによるＲＡＲ復調中の狭帯域物理ダウンリンク制御チャネルＮＰＤＣＣＨの繰り返し回数を含む、
項目１７または１８に記載の方法。
（項目２０）
通信方法であって、
端末デバイスが基準信号受信性能に基づいて現在のカバレッジレベルを決定する段階と、
上記端末デバイスが上記現在のカバレッジレベルでランダムアクセスを実行する段階と
を備える方法。
（項目２１）
端末デバイスが基準信号受信性能に基づいて現在のカバレッジレベルを決定する上記段階は、
上記端末デバイスが上記基準信号受信性能および基準信号受信電力に基づいて上記現在のカバレッジレベルを決定する段階
を有する、
項目２０に記載の方法。
（項目２２）
上記端末デバイスが上記基準信号受信性能および基準信号受信電力に基づいて上記現在のカバレッジレベルを決定する上記段階は、
上記端末デバイスが上記基準信号受信電力に基づいて初期のカバレッジレベルを決定する段階と、
上記初期のカバレッジレベルが上記基準信号受信性能と一致しないとき、上記端末デバイスが、上記基準信号受信性能に対応するカバレッジレベルを上記現在のカバレッジレベルとして決定する段階と
を含む、項目２１に記載の方法。
（項目２３）
上記端末デバイスが上記現在のカバレッジレベルでランダムアクセスを実行する上記段階は、
上記端末デバイスがネットワークデバイスにランダムアクセスプリアンブルを送信する段階であって、上記プリアンブルの伝送電力は、上記プリアンブルのターゲット受信電力と、上記端末デバイスと上記ネットワークデバイスとの間のパス損失とに基づいて、上記端末デバイスにより決定され、上記プリアンブルの上記ターゲット受信電力は、現在の電力上昇ステップと、上記端末デバイスによる上記プリアンブルの現在の送信回数とに関連する、段階
を有する、項目２０から２２の何れか一項に記載の方法。
（項目２４）
上記プリアンブルの上記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは上記プリアンブルの上記伝送電力を表し、ＰＣＭＡＸは上記端末デバイスの最大伝送電力を表し、ＰＴＡＲＧＥＴは上記プリアンブルの上記ターゲット受信電力を表し、ＰＬは上記パス損失を表し、
ＰＴＡＲＧＥＴ＝ＰＰ＋（Ｍ−１）ＰＳであり、
ＰＰは上記プリアンブルの初期のターゲット受信電力を表し、Ｍは上記現在の送信回数を表し、ＰＳは上記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、上記プリアンブルの送信の繰り返し回数である、
式に従って、上記端末デバイスにより決定される、項目２３に記載の方法。
（項目２５）
通信方法であって、
端末デバイスが、ネットワークデバイスにより送信された指示情報を受信する段階であって、上記指示情報は、上記端末デバイスによるアップリンク情報の送信の繰り返し回数を示すために使用される、段階、および、
上記繰り返し回数が第２閾値より大きいと上記端末デバイスが判定したとき、上記端末デバイスが、最大伝送電力を使用することにより上記アップリンク情報を送信する段階、または、
上記繰り返し回数が上記第２閾値より小さいか等しいと上記端末デバイスが判定したとき、上記端末デバイスが、第１電力を使用することにより上記アップリンク情報を送信する段階であって、上記第１電力は、パス損失、パス損失補償係数、または伝送帯域幅のうちの少なくとも１つに基づいて、上記端末デバイスにより決定される、段階
を備える方法。
（項目２６）
上記指示情報はアップリンクグラントＵＬ  ｇｒａｎｔに保持され、かつ、上記アップリンク情報はアップリンクデータである、または、
上記指示情報はランダムアクセス応答ＲＡＲに保持され、かつ、上記アップリンク情報はメッセージ３である、
項目２５に記載の方法。
（項目２７）
上記第２閾値は予め設定される、上記第２閾値は上記ＲＡＲにより示される、または、上記第２閾値は、システムメッセージを使用することにより構成される、
項目２５または２６に記載の方法。
（項目２８）
通信方法であって、
ネットワークデバイスが、端末デバイスにより送信されたランダムアクセスプリアンブルを受信する段階と、
上記ネットワークデバイスが上記端末デバイスにランダムアクセス応答ＲＡＲを送信する段階であって、上記ＲＡＲは第１リソースを示す、段階と、
上記ネットワークデバイスが、上記端末デバイスにより送信されたダウンリンクチャネルの品質指示情報を受信する段階であって、上記ダウンリンクチャネルの品質指示情報は、上記第１リソースを使用することによって上記端末デバイスにより送信されるメッセージ３に保持され、上記ダウンリンクチャネルの品質指示情報は、ダウンリンクチャネルの品質を示すために使用される、段階と、
上記ネットワークデバイスが、上記ダウンリンクチャネルの品質に基づいて、メッセージ４の送信の最大繰り返し回数、および／または、上記端末デバイスのＵＥ固有検索空間ＵＳＳの最大値を決定する段階と
を備える方法。
（項目２９）
上記ダウンリンクチャネルの品質指示情報は、構成情報の指示に基づいて上記端末デバイスにより送信され、上記構成情報は、上記ネットワークデバイスにより送信される上記ＲＡＲに保持される、または、上記構成情報はシステムメッセージに保持される、
項目２８に記載の方法。
（項目３０）
上記ダウンリンクチャネルの品質指示情報は、基準信号受信品質ＲＳＲＱ、または、上記端末デバイスによるＲＡＲ復調中の狭帯域物理ダウンリンク制御チャネルＮＰＤＣＣＨの繰り返し回数を含む、
項目２８または２９に記載の方法。
（項目３１）
処理ユニットと送受信ユニットとを備える端末デバイスであって、
上記処理ユニットは、少なくとも２つのカバレッジレベルから現在のカバレッジレベルを決定するように構成され、上記少なくとも２つのカバレッジレベルの各々は電力上昇ステップに対応し、
上記送受信ユニットは、上記現在のカバレッジレベルに対応する現在の電力上昇ステップに基づいて、電力上昇方式でネットワークデバイスにランダムアクセスプリアンブルを送信するように構成される、
端末デバイス。
（項目３２）
上記送受信ユニットは、前回上記プリアンブルの送信に失敗したとき、上記現在の電力上昇ステップにより上記プリアンブルの伝送電力を増やして新しい電力を取得し、上記新しい電力を使用することにより上記プリアンブルを再送信するように特に構成される、
項目３１に記載の端末デバイス。
（項目３３）
上記送受信ユニットは、上記現在のカバレッジレベルでの上記プリアンブルの送信回数が第１閾値より大きいとき、上記現在のカバレッジレベルの次のカバレッジレベルで上記ネットワークデバイスに上記プリアンブルを送信するように更に構成され、
上記第１閾値は、上記現在のカバレッジレベルでのプリアンブルの最大伝送回数より小さい、
項目３１または３２に記載の端末デバイス。
（項目３４）
上記送受信ユニットは、上記次のカバレッジレベルに対応する繰り返し回数と、上記現在のカバレッジレベルに対応する上記現在の電力上昇ステップとを使用することにより、電力上昇方式で上記プリアンブルを送信するように特に構成される、
項目３３に記載の端末デバイス。
（項目３５）
上記処理ユニットは、基準信号受信性能に基づいて、上記少なくとも２つのカバレッジレベルから上記現在のカバレッジレベルを決定するように特に構成される、
項目３１から３４の何れか一項に記載の端末デバイス。
（項目３６）
上記処理ユニットは、基準信号受信電力および上記基準信号受信性能に基づいて、上記少なくとも２つのカバレッジレベルから上記現在のカバレッジレベルを決定するように特に構成される、
項目３５に記載の端末デバイス。
（項目３７）
上記処理ユニットは、
上記基準信号受信電力に基づいて初期のカバレッジレベルを決定することと、
上記初期のカバレッジレベルが上記基準信号受信性能と一致しないとき、上記基準信号受信性能に対応するカバレッジレベルを上記現在のカバレッジレベルとして決定することと
を行うように特に構成される、
項目３６に記載の端末デバイス。
（項目３８）
上記送受信ユニットは、
上記ネットワークデバイスにより送信された指示情報を受信することであって、上記指示情報は、上記端末デバイスによるアップリンク情報の送信の繰り返し回数を示すために使用される、受信すること、および、
上記繰り返し回数が第２閾値より大きいと判定されたとき、最大伝送電力を使用することにより上記アップリンク情報を送信すること、または、
上記繰り返し回数が上記第２閾値より小さいか等しいと判定されたとき、第１電力を使用することにより上記アップリンク情報を送信することであって、上記第１電力は、パス損失、パス損失補償係数、または伝送帯域幅のうちの少なくとも１つに基づいて、上記端末デバイスにより決定される、送信すること
を行うように更に構成される、
項目３１から３７の何れか一項に記載の端末デバイス。
（項目３９）
上記指示情報はアップリンクグラントＵＬ  ｇｒａｎｔに保持され、かつ、上記アップリンク情報はアップリンクデータである、または、
上記指示情報はランダムアクセス応答ＲＡＲに保持され、かつ、上記アップリンク情報はメッセージ３である、
項目３８に記載の端末デバイス。
（項目４０）
上記第２閾値は予め設定される、上記第２閾値は上記ＲＡＲにより示される、または、上記第２閾値は、システムメッセージを使用することにより構成される、
項目３８または３９に記載の端末デバイス。
（項目４１）
上記プリアンブルの上記伝送電力は、上記プリアンブルのターゲット受信電力と、上記端末デバイスと上記ネットワークデバイスとの間のパス損失とに基づいて決定され、上記プリアンブルの上記ターゲット受信電力は、上記現在の電力上昇ステップと、上記プリアンブルの現在の送信回数とに関連する、
項目３１から４０の何れか一項に記載の端末デバイス。
（項目４２）
上記プリアンブルの上記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは上記プリアンブルの上記伝送電力を表し、ＰＣＭＡＸは上記端末デバイスの上記最大伝送電力を表し、ＰＴＡＲＧＥＴは上記プリアンブルの上記ターゲット受信電力を表し、ＰＬは上記パス損失を表し、
ＰＴＡＲＧＥＴ＝ＰＰ＋（Ｍ−１）ＰＳであり、
ＰＰは上記プリアンブルの初期のターゲット受信電力を表し、Ｍは上記現在の送信回数を表し、ＰＳは上記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、上記プリアンブルの送信の繰り返し回数である、
式に従って、上記送受信ユニットにより決定される、項目４１に記載の端末デバイス。
（項目４３）
上記送受信ユニットは、ダウンリンクチャネルの品質に対応するカバレッジレベルが上記現在のカバレッジレベルと一致しないことを上記端末デバイスが検出したとき、上記ダウンリンクチャネルの品質に対応する上記カバレッジレベルでランダムアクセス手順を再開するように更に構成される、
項目３１から４２の何れか一項に記載の端末デバイス。
（項目４４）
上記送受信ユニットは、上記ネットワークデバイスにダウンリンクチャネルの品質指示情報を送信することであって、上記ダウンリンクチャネルの品質指示情報は、上記端末デバイスにより送信されるメッセージ３に保持され、上記ダウンリンクチャネルの品質指示情報は、ダウンリンクチャネルの品質を示すために使用される、送信することを行うように更に構成される、
項目３１から４３の何れか一項に記載の端末デバイス。
（項目４５）
上記送受信ユニットは、構成情報の指示に基づいて上記ネットワークデバイスに上記ダウンリンクチャネルの品質指示情報を送信することであって、上記構成情報は、上記ネットワークデバイスにより送信されるＲＡＲに保持される、または、上記構成情報はシステムメッセージに保持される、送信することを行うように特に構成される、
項目４４に記載の端末デバイス。
（項目４６）
上記ダウンリンクチャネルの品質指示情報は、基準信号受信品質ＲＳＲＱ、または、上記端末デバイスによるＲＡＲ復調中の狭帯域物理ダウンリンク制御チャネルＮＰＤＣＣＨの繰り返し回数を含む、
項目４４または４５に記載の端末デバイス。
（項目４７）
処理ユニットと送受信ユニットとを備える端末デバイスであって、
上記処理ユニットは、上記送受信ユニットを制御して、
ネットワークデバイスにランダムアクセスプリアンブルを送信することと、
上記ネットワークデバイスにより送信されたランダムアクセス応答ＲＡＲを受信することであって、上記ＲＡＲは第１リソースを示す、受信することと、
上記ネットワークデバイスにダウンリンクチャネルの品質指示情報を送信することであって、上記ダウンリンクチャネルの品質指示情報は、上記第１リソースを使用することによって上記端末デバイスにより送信されるメッセージ３に保持され、上記ダウンリンクチャネルの品質指示情報は、ダウンリンクチャネルの品質を示すために使用される、送信することと
を行うように構成される、
端末デバイス。
（項目４８）
上記送受信ユニットは、構成情報に基づいて上記ネットワークデバイスに上記ダウンリンクチャネルの品質指示情報を送信することであって、上記構成情報は、上記ネットワークデバイスにより送信される上記ＲＡＲに保持される、または、上記構成情報はシステムメッセージに保持される、送信することを行うように特に構成される、
項目４７に記載の端末デバイス。
（項目４９）
上記ダウンリンクチャネルの品質指示情報は、基準信号受信品質ＲＳＲＱ、または、上記端末デバイスによるＲＡＲ復調中の狭帯域物理ダウンリンク制御チャネルＮＰＤＣＣＨの繰り返し回数を含む、
項目４７または４８に記載の端末デバイス。
（項目５０）
処理ユニットと送受信ユニットとを備える端末デバイスであって、
上記処理ユニットは、基準信号受信性能に基づいて現在のカバレッジレベルを決定するように構成され、
上記送受信ユニットは、上記現在のカバレッジレベルでランダムアクセスを実行するように構成される、
端末デバイス。
（項目５１）
端末デバイスが基準信号受信性能に基づいて現在のカバレッジレベルを上記決定することは、
上記端末デバイスが上記基準信号受信性能および基準信号受信電力に基づいて上記現在のカバレッジレベルを決定すること
を含む、
項目５０に記載の端末デバイス。
（項目５２）
上記処理ユニットは、
上記基準信号受信電力に基づいて初期のカバレッジレベルを決定することと、
上記初期のカバレッジレベルが上記基準信号受信性能と一致しないとき、上記基準信号受信性能に対応するカバレッジレベルを上記現在のカバレッジレベルとして決定することと
を行うように特に構成される、
項目５１に記載の端末デバイス。
（項目５３）
上記送受信ユニットは、ネットワークデバイスにランダムアクセスプリアンブルを送信することであって、上記プリアンブルの伝送電力は、上記プリアンブルのターゲット受信電力と、上記端末デバイスと上記ネットワークデバイスとの間のパス損失とに基づいて決定され、上記プリアンブルの上記ターゲット受信電力は、現在の電力上昇ステップと、上記端末デバイスによる上記プリアンブルの現在の送信回数とに関連する、送信することを行うように特に構成される、
項目５０から５２の何れか一項に記載の端末デバイス。
（項目５４）
上記プリアンブルの上記伝送電力は、
ＰＮＰＲＡＣＨ＝ｍｉｎ｛ＰＣＭＡＸ，ＰＴＡＲＧＥＴ＋ＰＬ｝［ｄＢｍ］
という式であって、
ＰＮＰＲＡＣＨは上記プリアンブルの上記伝送電力を表し、ＰＣＭＡＸは上記端末デバイスの最大伝送電力を表し、ＰＴＡＲＧＥＴは上記プリアンブルの上記ターゲット受信電力を表し、ＰＬは上記パス損失を表し、
ＰＴＡＲＧＥＴ＝ＰＰ＋（Ｍ−１）ＰＳであり、
ＰＰは上記プリアンブルの初期のターゲット受信電力を表し、Ｍは上記現在の送信回数を表し、ＰＳは上記現在の電力上昇ステップを表す、
式、または、
ＰＴＡＲＧＥＴ＝ＰＰ＋（Ｍ−１）ＰＳ−１０×ｌｏｇ１０Ｎｒ
という式であって、
Ｎｒは、上記プリアンブルの送信の繰り返し回数である、
式に従って決定される、項目５３に記載の端末デバイス。
（項目５５）
処理ユニットと送受信ユニットとを備える端末デバイスであって、
上記端末デバイスは、ネットワークデバイスにより送信された指示情報を受信し、上記指示情報は、上記端末デバイスによるアップリンク情報の送信の繰り返し回数を示すために使用され、かつ、
上記繰り返し回数が第２閾値より大きいと上記端末デバイスが判定したとき、上記端末デバイスは、最大伝送電力を使用することにより上記アップリンク情報を送信する、または、
上記繰り返し回数が上記第２閾値より小さいか等しいと上記端末デバイスが判定したとき、上記端末デバイスは、第１電力を使用することにより上記アップリンク情報を送信し、上記第１電力は、パス損失、パス損失補償係数、または伝送帯域幅のうちの少なくとも１つに基づいて、上記端末デバイスにより決定される、
端末デバイス。
（項目５６）
上記指示情報はアップリンクグラントＵＬ  ｇｒａｎｔに保持され、かつ、上記アップリンク情報はアップリンクデータである、または、
上記指示情報はランダムアクセス応答ＲＡＲに保持され、かつ、上記アップリンク情報はメッセージ３である、
項目５５に記載の端末デバイス。
（項目５７）
上記第２閾値は予め設定される、上記第２閾値は上記ＲＡＲにより示される、または、上記第２閾値は、システムメッセージを使用することにより構成される、
項目５５または５６に記載の端末デバイス。
（項目５８）
処理ユニットと送受信ユニットとを備えるネットワークデバイスであって、
上記送受信ユニットは、
端末デバイスにより送信されたランダムアクセスプリアンブルを受信することと、
上記端末デバイスにランダムアクセス応答ＲＡＲを送信することであって、上記ＲＡＲは第１リソースを示す、送信することと、
上記端末デバイスにより送信されたダウンリンクチャネルの品質指示情報を受信することであって、上記ダウンリンクチャネルの品質指示情報は、上記第１リソースを使用することによって上記端末デバイスにより送信されるメッセージ３に保持され、上記ダウンリンクチャネルの品質指示情報は、ダウンリンクチャネルの品質を示すために使用される、受信することと
を行うように構成され、
上記処理ユニットは、上記ダウンリンクチャネルの品質に基づいて、メッセージ４の送信の最大繰り返し回数、および／または、上記端末デバイスのＵＥ固有検索空間ＵＳＳの最大値を決定するように構成される、
ネットワークデバイス。
（項目５９）
上記ダウンリンクチャネルの品質指示情報は、構成情報の指示に基づいて上記端末デバイスにより送信され、上記構成情報は、上記送受信ユニットにより送信される上記ＲＡＲに保持される、または、上記構成情報はシステムメッセージに保持される、
項目５８に記載のネットワークデバイス。
（項目６０）
上記ダウンリンクチャネルの品質指示情報は、基準信号受信品質ＲＳＲＱ、または、上記端末デバイスによるＲＡＲ復調中の狭帯域物理ダウンリンク制御チャネルＮＰＤＣＣＨの繰り返し回数を含む、
項目５８または５９に記載のネットワークデバイス。
【国際調査報告】
2020524948.tif 000017
2020524948.tif 000018
2020524948.tif 000019
2020524948.tif 000020